(57)【要約】【課題】不正行為の防止を図る上で、有効な施錠装置等を提供する。【解決手段】遊技機の中枠に取着される施錠装置である。支持本体部７１５を具備する支持体７１０と、可動片部７５１及び係合部を有し、係合部をガラス扉枠の被係合部に係合させてガラス扉枠の施錠状態を構成するガラス扉枠施錠部７５０と、可動片部７５１に設けられた被押圧部７５２ｂを下方に押圧するための押圧用突起部７６５を有する錠操作伝達部７６０と、カム部材を有する錠部材と、を具備する。カム部材によって錠操作伝達部７６０を下方に動作させると、ガラス扉枠施錠部７５０の施錠が解除される。錠操作伝達部７６０に、支持本体部７１１から離間する方向に向かって傾斜する傾斜部等で構成される防護部（ｄ２）を設ける。押圧用突起部７６５が、防護部（ｄ２）の裏面部の下方側において支持本体部７１５の方向に向かって突出する状態に配置されている。【選択図】図１９
2010214167.tif 000002
【特許請求の範囲】
【請求項１】
外枠と、
前記外枠に開閉可能な状態に装着される中枠と、
前記中枠の前面部に開閉可能な状態に装着されると共に被係合部を具備するガラス扉枠と、
前記中枠の前面部のうちで前記ガラス扉枠の装着部位の下方の部位に開閉可能な状態に装着される受皿扉部材と、
を有する遊技機の前記中枠に取着される施錠装置であって、
上下方向に長尺状な支持本体部を具備すると共に前記中枠に固定される支持体と、
上下方向に長尺な略帯板状とされると共に裏面部に前記支持本体部と摺動可能な摺動部を設けつつ、前記支持本体部に上下動可能な状態で支持される可動片部と、該可動片部と一体で上下動可能な係合部と、を有し、前記係合部を前記被係合部に係合させて前記ガラス扉枠の前記中枠に対する施錠状態を構成するガラス扉枠施錠部と、
上下方向に長尺な略帯板状とされると共に裏面部に前記可動片部の表面部と摺動可能な摺動部を設けつつ、前記支持体本体に上下動可能な状態で支持され、前記可動片部に設けられた被押圧用突起部を、下方に押圧するための押圧部を有する錠操作伝達部と、
所定の回動軸心を基準に回動可能なカム部材を有する錠部材と、
を具備し、
前記カム部材を一の方向に回転させ、前記カム部材によって前記錠操作伝達部を下方に押圧して前記錠操作伝達部を下方に動作させると、前記被押圧用突起部が前記押圧部によって下方に押圧され、前記ガラス扉枠施錠部が下方に動作して前記係合部の前記被係合部に対する係合が解除され、
前記錠操作伝達部の上下方向に沿った所定の部位が、前記支持本体部から離間する方向に向かって傾斜する傾斜部と、略水平な水平部と、のうちの少なくとも一方を備えて構成される防護部とされ、
前記被押圧用突起部が、前記防護部の裏面部の下方側において前記支持本体部から離間する方向に向かって突出する状態に配置されていることを特徴とする施錠装置。
【請求項２】
前記外枠の中枠施錠用被係合部に係合可能な中枠施錠用係合部を具備する中枠施錠部を有し、
前記中枠施錠用係合部を前記中枠施錠用被係合部に係合させて前記中枠の前記外枠に対する施錠状態を構成し、
前記カム部材を前記一の方向とは異なる他の方向に回転させ、前記カム部材によって前記錠操作伝達部を上方に動作させると、前記中枠施錠部の被押圧部が、前記錠操作伝達部の中枠解錠用押圧部によって上方に押圧され、前記中枠施錠部が所定の態様で動作して前記中枠施錠用係合部の前記中枠施錠用被係合部に対する係合が解除され、前記中枠の前記外枠に対する施錠状態が解除されることを特徴とする請求項１に記載の施錠装置。
【請求項３】
上下方向に長尺な略帯板状とされつつ前記支持本体部に上下動可能な状態で支持される受皿扉部材用可動片部と、
該受皿扉部材用可動片部と一体で上下動可能され、前記受皿扉部材に設けられた受皿扉部材施錠用被係合部に係合可能な受皿部材施錠用係合部と、を有し、
前記受皿部材施錠用係合部を前記受皿扉部材施錠用被係合部に係合させて前記受皿扉部材の前記中枠に対する施錠状態を構成する受皿扉部材施錠部を有し、
前記カム部材を前記一の方向に回転させ、前記カム部材によって前記受皿扉部材施錠部の被操作部を下方に押圧すると、前記受皿扉部材施錠部が、下方に動作して前記受皿扉部材施錠用係合部の前記受皿扉部材施錠用被係合部に対する係合が解除され、
前記受皿扉部材用可動片部は、
前記被操作部を有すると共に所定の傾動支点部において後方への傾動を実行可能な状態に支持され、前記被操作部の位置を前記カム部材との当接が可能な当接位置に維持しつつ構成される基本姿勢と、前記後方への傾動を実行して前記被操作部の位置を前記カム部材との当接が不可能な退避位置に変更しつつ構成される傾動姿勢と、の間で、姿勢変更可能とされる動作選択部と、
前記動作選択部の姿勢が、前記基本姿勢となるように前記動作選択部を付勢する付勢手段と、
を具備し、
前記ガラス扉枠を閉鎖状態とすると、前記ガラス扉枠、若しくは、前記ガラス扉枠に配設された姿勢変更部材によって、前記動作選択部が後方に押圧され、前記動作選択部の姿勢が前記傾動姿勢に姿勢変更されることを特徴とする請求項１又は２に記載の施錠装置。
【請求項４】
請求項１〜請求項３の何れか一項に記載の施錠装置を具備することを特徴とする遊技機。
【発明の詳細な説明】
【技術分野】
【０００１】
本発明は、施錠装置及び遊技機に関し、特に、いわゆるセブン機、羽根物、権利物又はアレンジボール等の弾球遊技機に適用されるものである。
【背景技術】
【０００２】
弾球遊技機（遊技機）１は、図２に示すように、例えば、パチンコホールの島設備Ｓの設置部位Ｓ１に固定される。つまり、島設備Ｓの上方側には、上端部等をヒンジを用いて開閉可能な状態に支持された幕板Ｍと、幕板Ｍの下方に配置されたランプパネルＲＰとが配置されている。また、島設備Ｓの下方側であって、パチンコホールの床面と所定の間隔を隔てた箇所には、台部（膳台と称される。）Ｄが配設される。そして、ランプパネルＲＰと、台部（膳台）Ｄとの間に形成される空間部が、設置部位Ｓ１とされる。
【０００３】
即ち、この遊技機１は、（１）設置部位Ｓ１に固定される外枠２と、（２）この外枠２の左右方向に沿った一側に開閉自在に取り付けられる中枠３と、（３）この中枠の保持部によって、前面部を前方（つまり、遊技者の方向）に向けた状態で、しかも、着脱自在な状態に保持される遊技盤と、（４）遊技盤（図示を省略）の前面部を覆うガラス板を具備するガラス扉枠（前面枠）４と、（５）中枠３の前面部のうちで遊技盤の保持位置よりも下方側の部位に開閉自在に取り付けられると共に、遊技機１内から排出される遊技球を貯留するための受皿扉部材（一般に、「上皿部」と称される部材）５等を備えている。
【０００４】
この遊技盤の前面部には、「外側レールと内側レールとを備えるレール部材」が前方に突出する状態に配置される。つまり、遊技盤の前面部には、（Ａ）長尺な帯状板（一般には、金属製）を、開口部を下方若しくは側方に向けた略円弧形状（Ｃの字状）としつつ配置して構成される外側レールと、（Ｂ）外側レールの配置箇所の内側において、長尺な帯状板（一般には、金属製）を、開口部を上方に向けた略円弧形状（Ｃの字状）としつつ配置して構成される内側レールと、が配設される。
【０００５】
この遊技盤の前面部において、外側レールと内側レールとが、略円形若しくは、略楕円形に略取り囲む部位が遊技領域と称される。また、遊技盤の前面部の左端側において、外側レールと内側レールとの間に形成される球通路が、誘導通路と称される。更に、遊技領域内において、最下部にアウト口が設けられ、この最下部よりも上方の位置に、各種の入賞装置（大入賞装置、始動入賞装置、その他の入賞装置等）、入球ゲート、画像表示装置、障害釘等が配設されている。ここで、画像表示装置とは、遊技に関連する画像を表示するための表示装置であって、例えば、液晶表示装置によって構成される。
【０００６】
また、中枠３の前方であって、遊技盤の下方の部位には、発射装置と、左上がり傾斜状の発射レールとが配置されている。そして、この遊技機１においては、発射装置から打ち出された遊技球が、発射レールに沿って上昇し、更に、誘導通路を経て遊技盤の左上部に導かれる。そして、この遊技球は、内側レールの左上端部と、外側レールの左上端部との間に形成される入口部を通じて遊技領域内に放出され、この遊技領域を流下する構成とされている。
【０００７】
更に、この種の遊技機１は、当該遊技機１の遊技状態を通常遊技状態から大当り遊技状態（つまり、特別遊技状態）に移行させるか否かの判定（以下、「当否判定」ということがある。）を行う判定手段と、この判定の結果を示す判定結果の確定表示等を行う判定結果表示手段と、を備えている。尚、（ａ）専用の表示装置（前述の画像表示装置とは別の表示装置の意味で用いる。）、若しくは、（ｂ）前述の画像表示装置が、「判定結果表示手段」として機能してもよいし、（ｃ）専用の表示装置及び画像表示装置の双方が、「判定結果表示手段」として機能してもよい。
【０００８】
この「判定結果表示手段」によって、大当り表示（当否判定の結果が、大当りであったことを示す表示）がなされると、遊技機１の遊技状態が「通常遊技状態」から「大当り遊技状態」に移行する。そして、遊技機１の遊技状態が「大当り遊技状態」に移行すると、「大入賞装置」の状態が、所定の態様に従って、「遊技球を受け入れ可能な状態」、若しくは、「遊技球を受け入れ容易な状態」に変化する。
【０００９】
この種の遊技機１においては、通常、ガラス扉枠（前面枠）４等が中枠３に施錠される。例えば、この種の遊技機１の中枠３には、ガラス扉枠（前面枠）４を中枠３に施錠するためのガラス扉枠施錠部と、所定の操作部材（カギ等）によって操作される錠部材と、を備える施錠装置が装着される（特許文献１を参照）。そして、このガラス扉枠施錠部の係合部を、ガラス扉枠（前面枠）の被係合部に係合することで、ガラス扉枠（前面枠）４の中枠３に対する施錠状態が構成される。また、パチンコホールの店員等が、正規の操作部材（カギ等）を用いて、錠部材に解錠操作を施すと（以下、「正当な解錠操作」という。）、この解錠操作に起因してガラス扉枠施錠部を下方に動作する（以下、「正当な解錠動作」という。）。これにより、係合部の被係合部への係合が解除され、「ガラス扉枠（前面枠）４の中枠３に対する施錠状態」が、正当に解除されるのが一般的である。
【先行技術文献】
【特許文献】
【００１０】
【特許文献１】特開２００４−１６５４６号公報
【発明の概要】
【発明が解決しようとする課題】
【００１１】
この種の遊技機１においては、施錠装置に適切な改良を施し、「ガラス扉枠（前面枠）４に対する不正な解錠操作」を防止することが重要である。例えば、この種の遊技機１が設置された島設備Ｓにおいては、以下のような不正行為が行われる可能性があり、この不正行為を防止するための改良を施錠装置に施すことが重要である。
つまり、不正行為者が幕板Ｍを不正に開放し、「島設備Ｓにおいて幕板Ｍが開放されて生ずる開放部Ｍ１」を通じて、不正部材（針金、ピアノ線等）Ｆを挿入する。そして、この不正部材Ｆの先端部Ｆ１を、遊技機１の背面部側に到達させ、この不正部材Ｆを用いて、ガラス扉枠施錠部の特定部位（突出部）等を下方に押圧する。これにより、ガラス扉枠施錠部を下方に動作させる（以下、「不正な解錠動作」という。）。これにより、係合部の被係合部への係合が解除され、「ガラス扉枠（前面枠）４の中枠３に対する施錠状態」が、不正に解除される可能性がある。尚、このように、正規の操作部材（カギ等）を用いることなく、しかも、不正部材Ｆを用いて、「ガラス扉枠（前面枠）４の中枠３に対する施錠状態」を解除する操作（行為）を、「ガラス扉枠（前面枠）４に対する不正な解錠操作」という。
【００１２】
一方、施錠状態とされたガラス扉枠（前面枠）４の背後には、遊技機１において主要な構成部品である遊技盤が配設されている。このため、遊技盤への不正行為（「不正行為者が、自らの手で遊技球を入賞装置に対して不正に入球させる行為」や、「不正行為者が、遊技盤に配設された障害釘に不正な曲げを与え、入賞装置への遊技球の入賞を誘発させる行為」等）を防止するために、施錠装置の構造を、「ガラス扉枠（前面枠）４に対する不正な解錠操作」の防止を図る上で有効な構造とすることが重要である。
【００１３】
本発明は、上記観点に鑑みてなされたものであり、その目的とするところは、不正行為の防止を図る上で、有効な施錠装置を提供することである。
【００１４】
本発明は、他の目的は、「ガラス扉枠及び受皿扉部材の円滑な解錠操作を実行できる施錠装置」を提供することである。
【００１５】
本発明は、更に他の目的は、「不正行為の防止を図る上で、有効な施錠装置」を具備する遊技機を提供することである。
【００１６】
本発明の更に他の目的は、「ガラス扉枠及び受皿扉部材の円滑な解錠操作を実行できる施錠装置」を具備する遊技機を提供することである。
【課題を解決するための手段】
【００１７】
本明細書において参考的に開示する第１の発明（以下、「参考発明１」という）に記載の施錠装置は、
前記外枠に開閉可能な状態に装着される中枠と、
前記中枠の前面部に開閉可能な状態に装着されると共に被係合部を具備するガラス扉枠と、
前記中枠の前面部のうちで前記ガラス扉枠の装着部位の下方の部位に開閉可能な状態に装着される受皿扉部材と、
を有する遊技機の前記中枠に取着される施錠装置であって、
上下方向に長尺状な支持本体部を具備すると共に前記中枠に固定される支持体と、
上下方向に長尺な略帯板状とされると共に裏面部に前記支持本体部と摺動可能な摺動部を設けつつ、前記支持本体部に上下動可能な状態で支持される可動片部と、該可動片部と一体で上下動可能な係合部と、を有し、前記係合部を前記被係合部に係合させて前記ガラス扉枠の前記中枠に対する施錠状態を構成するガラス扉枠施錠部と、
上下方向に長尺な略帯板状とされると共に裏面部に前記可動片部の表面部と摺動可能な摺動部を設けつつ、前記支持体本体に上下動可能な状態で支持され、前記可動片部に設けられた被押圧部を下方に押圧するための押圧用突起部を有する錠操作伝達部と、
所定の回動軸心を基準に回動可能なカム部材を有する錠部材と、
を具備し、
前記カム部材を一の方向に回転させ、前記カム部材によって前記錠操作伝達部を下方に押圧して前記錠操作伝達部を下方に動作させると、前記被押圧部が前記押圧用突起部によって下方に押圧され、前記ガラス扉枠施錠部が下方に動作して前記係合部の前記被係合部に対する係合が解除され、
前記錠操作伝達部の上下方向に沿った所定の部位が、前記支持本体部から離間する方向に向かって傾斜する傾斜部と、略水平な水平部と、のうちの少なくとも一方を備えて構成される防護部とされ、
前記押圧用突起部が、前記防護部の裏面部の下方側において前記支持本体部の方向に向かって突出する状態に配置されていることを特徴とする。
【００１８】
ここで、本明細書では、「帯板状の部材（可動片部、錠操作伝達部等）」の「表裏の関係にある２つの面のうちの一方であって所定の一の方向を向いた面」を、便宜上「表面」と称し、「表裏の関係にある２つの面のうちの他方であって、この一の方向と逆の他の方向を向いた面」を、便宜上、「裏面」と称する。
【００１９】
参考発明１の発明によると、不正行為の防止を図る上で、有効な施錠装置を得ることができる。つまり、本出願人が、先に行った別の特許出願（特願２００６−５７８２１号）においては、図４２〜図４４に示すように、（ａ）中枠に固定される支持体１０Ａと、（ｂ）この支持体１０Ａの支持本体部１０Ｂに上下動可能な状態で支持されるガラス扉枠施錠部１０Ｃと、（ｃ）ガラス扉枠施錠部１０Ｃの可動片部１０Ｄを挟んだ状態で支持体本体１０Ｂに上下動可能な状態で支持される錠操作伝達部１０Ｅと、（ｄ）錠軸１０Ｆ及び錠軸１０Ｆの回動に伴って回動するカム部材１０Ｇを具備する錠部材１０Ｈと、を具備する施錠装置７００Ｊが例示されている。この施錠装置７００Ｊにおいては、ガラス扉枠施錠部１０Ｃに対して、支持体本体１０Ｂから離間する方向に突出する被押圧用突起部１０Ｊを設ける。また、錠操作伝達部１０Ｅに対して、被押圧用突起部１０Ｊを遊入可能な伝達孔１０Ｋを、この錠操作伝達部１０Ｅの表裏面部を貫通する状態で設けている。そして、この錠操作伝達部１０Ｅにおいて伝達孔１０Ｋの上縁部を構成する部位１０Ｌが押圧部１０Ｍとされている。このため、所定の操作部材（キー等）を用いて錠部材１０Ｈを操作し、カム部材１０Ｇによって錠操作伝達部１０Ｅを下方に押圧し、この錠操作伝達部１０Ｅを下方に動作させると、被押圧用突起部１０Ｊが押圧部１０Ｍによって下方に押圧されることになる。そして、この押圧に伴い、ガラス扉枠施錠部１０Ｃが下方に動作して、「ガラス扉枠施錠部１０Ｃの係合部１０Ｎ」の「中枠の被係合部」に対する係合が解除され、ガラス扉枠の中枠に対する施錠状態が解除される。
【００２０】
ところが、この施錠装置７００Ｊにおいては、被押圧用突起部１０Ｊが、錠操作伝達部１０Ｅの表面部から突出する状態に配置される。しかも、この被押圧用突起部１０Ｊの鉛直上方には、「被押圧用突起部１０Ｊへの不正部材Ｆの侵入・到達」を遮る部材が存在しない。このため、不正行為者が、被押圧用突起部１０Ｊに不正部材Ｆの先端部Ｆ１を到達させ、この先端部Ｆ１によって、被押圧用突起部１０Ｊを無理やり下方に押圧し、ガラス扉枠施錠部１０Ｃを下方に動作させることも可能である。このため、この施錠装置７００Ｊにおいては、かかる不正行為を不可能としたり、行い難くするための改良を施すことが望ましい。そして、参考発明１の発明は、このような改良を意図してなされたものである。
【００２１】
即ち、参考発明１の発明においては、錠操作伝達部に対して、支持体本体の方向に向かって突出する（支持体本体に近接する方向に向かって突出する）押圧用突起部を設け、ガラス扉枠施錠部に被押圧部を設ける。また、所定の操作部材（キー等）を用いて錠部材を操作し、カム部材によって錠操作伝達部を下方に押圧して錠操作伝達部を下方に動作させると、被押圧部が押圧用突起部によって下方に押圧される構成を採用する。そして、錠操作伝達部の上下方向に沿った所定の部位を、「傾斜部等を備える防護部」とし、押圧用突起部を、防護部の裏面部の下方側に配置する。
【００２２】
つまり、参考発明１の発明においては、押圧用突起部の鉛直上方が、防護部によって遮られる状態となる。よって、不正行為者が、押圧用突起部に不正部材の先端部を到達させようする場合、この先端部が防護部の上面部に衝突するため、この先端部を押圧用突起部に到達させることが不可能、若しくは、困難となる。従って、参考発明１の発明によると、不正行為の防止を図る上で、有効な施錠装置を得ることができる。
【００２３】
ここで、参考発明１の発明において、「押圧用突起部が、防護部の裏面部の下方側において支持本体部の方向に向かって突出する状態に配置されている」ことには、以下の場合が含まれる。つまり、錠操作伝達部において、防護部の裏面部（換言すると、下面部である。）よりも下方に位置する部位（裏面部と所定の間隔をおいて下方に位置する部位）において、支持本体部の方向に向かって突出する状態に配置されている場合が含まれる。また、防護部の裏面部が傾斜面とされる場合等には、防護部の裏面部において、上下方向に沿った中間の部位から、支持本体部の方向に向かって突出する状態に配置されている場合も含まれる。つまり、押圧用突起部が、防護部の裏面部全体よりも下方に配置される場合のみならず、押圧用突起部が防護部の裏面部のうちの一部（押圧用突起部が突出する部分よりも上方の部位）の下方に配置されると共に防護部の裏面部の残部（一部以外の部分）よりも、上方に配置される場合も含まれる。
【００２４】
参考発明１の発明において、「押圧用突起部」は、その全体が、防護部の裏面部の下方に収まることが望ましい。但し、「押圧用突起部」の突端部側の一部（例えば、押圧用突起部の全長の１／２以下の部分であって、ゼロを含まない。）が、例えば、 ガラス扉枠施錠部（可動片部）の裏面部から、支持本体部の方向に向かって突出していても、不正行為の防止を図る上で、有効な施錠装置となるからである。尚、参考発明１の発明において、被押圧部の態様を種々例示でき、「可動片部の表裏面部を貫通する孔状部の内壁部」や「可動片部の表裏面部を貫通する切り欠き部の内壁部」を用いた被押圧部の他に、可動片部の表裏面部の一方から突出する突起状の被押圧部等を例示できる。また、参考発明１の発明の「傾斜部」は、「支持本体部から離間する方向に向かって下り傾斜となる下り傾斜部」であっても、「支持本体部から離間する方向に向かって上がり傾斜となる上がり傾斜部」であってもよい。更に、参考発明１の発明の「防護部」は、「下り傾斜部」及び「上がり傾斜部」の双方を備えてもよいし、「傾斜度の異なる下り傾斜部」や、「傾斜度の異なる上がり傾斜部」を複数、備えてもよい。また、参考発明１の発明の傾斜部には、湾曲しつつ、傾斜状とされる傾斜部（例えば、放物線状の傾斜を描く傾斜部等）も含まれる。
【００２５】
請求項１に記載の施錠装置は、
外枠と、
前記外枠に開閉可能な状態に装着される中枠と、
前記中枠の前面部に開閉可能な状態に装着されると共に被係合部を具備するガラス扉枠と、
前記中枠の前面部のうちで前記ガラス扉枠の装着部位の下方の部位に開閉可能な状態に装着される受皿扉部材と、
を有する遊技機の前記中枠に取着される施錠装置であって、
上下方向に長尺状な支持本体部を具備すると共に前記中枠に固定される支持体と、
上下方向に長尺な略帯板状とされると共に裏面部に前記支持本体部と摺動可能な摺動部を設けつつ、前記支持本体部に上下動可能な状態で支持される可動片部と、該可動片部と一体で上下動可能な係合部と、を有し、前記係合部を前記被係合部に係合させて前記ガラス扉枠の前記中枠に対する施錠状態を構成するガラス扉枠施錠部と、
上下方向に長尺な略帯板状とされると共に裏面部に前記可動片部の表面部と摺動可能な摺動部を設けつつ、前記支持体本体に上下動可能な状態で支持され、前記可動片部に設けられた被押圧用突起部を、下方に押圧するための押圧部を有する錠操作伝達部と、
所定の回動軸心を基準に回動可能なカム部材を有する錠部材と、
を具備し、
前記カム部材を一の方向に回転させ、前記カム部材によって前記錠操作伝達部を下方に押圧して前記錠操作伝達部を下方に動作させると、前記被押圧用突起部が前記押圧部によって下方に押圧され、前記ガラス扉枠施錠部が下方に動作して前記係合部の前記被係合部に対する係合が解除され、
前記錠操作伝達部の上下方向に沿った所定の部位が、前記支持本体部から離間する方向に向かって傾斜する傾斜部と、略水平な水平部と、のうちの少なくとも一方を備えて構成される防護部とされ、
前記被押圧用突起部が、前記防護部の裏面部の下方側において前記支持本体部から離間する方向に向かって突出する状態に配置されていることを特徴とする。
【００２６】
請求項１の発明によっても、不正行為の防止を図る上で、有効な施錠装置を得ることができる。つまり、請求項１の発明も、参考発明１の発明と同様な観点でなされたものである。但し、請求項１の発明においては、ガラス扉枠施錠部に支持体本体から離間する方向に向かって突出する被押圧用突起部を設け、錠操作伝達部に押圧部を設ける。また、所定の操作部材（キー等）を用いて錠部材を操作し、カム部材によって錠操作伝達部を下方に押圧して錠操作伝達部を下方に動作させると、被押圧用突起部が押圧部によって下方に押圧される構成を採用する。そして、錠操作伝達部の上下方向に沿った所定の部位を、「傾斜部等を備える防護部」とし、被押圧用突起部を、防護部の裏面部の下方側に配置する。
【００２７】
つまり、請求項１の発明においては、被押圧用突起部の鉛直上方が、防護部によって遮られる状態となる。よって、不正行為者が、被押圧用突起部に不正部材の先端部を到達させようする場合、この先端部が防護部の上面部に衝突するため、この先端部を被押圧用突起部に到達させることが不可能、若しくは、困難となる。従って、請求項１の発明によっても、不正行為の防止を図る上で、有効な施錠装置を得ることができる。
【００２８】
ここで、請求項１の発明において、「被押圧用突起部が、防護部の裏面部の下方側において支持本体部の方向に向かって突出する状態に配置されている」ことには、以下の場合が含まれる。つまり、錠操作伝達部において、防護部の裏面部（換言すると、下面部である。）よりも下方に位置する部位（裏面部と所定の間隔をおいて下方に位置する部位）において、支持本体部の方向に向かって突出する状態に配置されている場合が含まれる。また、防護部の裏面部が傾斜面とされる場合等には、防護部の裏面部において、上下方向に沿った中間の部位から、支持本体部の方向に向かって突出する状態に配置されている場合も含まれる。つまり、被押圧用突起部が、防護部の裏面部全体よりも下方に配置される場合のみならず、被押圧用突起部が防護部の裏面部のうちの一部（押圧用突起部が突出する部分よりも上方の部位）の下方に配置されると共に防護部の裏面部の残部（一部以外の部分）よりも、上方に配置される場合も含まれる。
【００２９】
請求項１の発明においても、「被押圧用突起部」は、その全体が、防護部の裏面部の下方に収まることが望ましい。但し、「被押圧用突起部」の突端部側の一部（例えば、押圧用突起部の全長の１／２以下の部分であって、ゼロを含まない。）が、例えば、錠操作伝達部の表面部から、支持本体部の方向に向かって突出していても、不正行為の防止を図る上で、有効な施錠装置となるからである。尚、請求項１の発明において、押圧部の態様を種々例示でき、「錠操作伝達部の表裏面部を貫通する孔状部の内壁部」や「錠操作伝達部の表裏面部を貫通する切り欠き部の内壁部」を用いた押圧部の他に、錠操作伝達部可動片部の表裏面部の一方から突出する突起状の押圧部等を例示できる。また、請求項１の発明の「傾斜部」は、「支持本体部から離間する方向に向かって下り傾斜となる下り傾斜部」であっても、「支持本体部から離間する方向に向かって上がり傾斜となる上がり傾斜部」であってもよい。更に、請求項１の発明の「防護部」は、「下り傾斜部」及び「上がり傾斜部」の双方を備えてもよいし、「傾斜度の異なる下り傾斜部」や、「傾斜度の異なる上がり傾斜部」を複数、備えてもよい。また、請求項１の発明の傾斜部には、湾曲しつつ、傾斜状とされる傾斜部（例えば、放物線状の傾斜を描く傾斜部等）も含まれる。
【００３０】
本明細書において参考的に開示する第２の発明（以下、「参考発明２」という）に記載の施錠装置は、
外枠と、
前記外枠に開閉可能な状態に装着される中枠と、
前記中枠の前面部に開閉可能な状態に装着されると共に被係合部を具備するガラス扉枠と、
前記中枠の前面部のうちで前記ガラス扉枠の装着部位の下方の部位に開閉可能な状態に装着される受皿扉部材と、
を有する遊技機の前記中枠に取着される施錠装置であって、
上下方向に長尺状な支持本体部を具備すると共に前記中枠に固定される支持体と、
上下方向に長尺な略帯板状とされると共に裏面部に前記支持本体部と摺動可能な摺動部を設けつつ、前記支持本体部に上下動可能な状態で支持される可動片部と、該可動片部と一体で上下動可能な係合部と、を有し、前記係合部を前記被係合部に係合させて前記ガラス扉枠の前記中枠に対する施錠状態を構成するガラス扉枠施錠部と、
上下方向に長尺な略帯板状とされ、裏面部に前記可動片部の表面部と摺動可能な摺動部を設けつつ、前記支持体本体に上下動可能な状態で支持され、表面部及び裏面部を貫通する挿通用空間部を貫通孔状、若しくは、切り欠き状に有すると共に、上方に位置する規制部と下方に位置する受圧部とを前記挿通用空間部を挟んで上下に対向する状態に具備する錠操作伝達部と、
前記錠操作伝達部の表面部と所定の間隔を隔てた部位に配置される回動軸心を基準に回動可能であると共に、前記挿通用空間部に対して錠操作伝達部の表面部の側から裏面部の側に向かって遊入状態で挿通される挿通部を具備するカム部材と、を有する錠部材と、
を具備し、
前記カム部材を一の方向に回転させ、前記挿通部の位置を、施錠位置から、該施錠位置よりも下方の解錠位置に向かって、略円弧状の通過経路に沿って移行させ、前記挿通部によって前記受圧部を下方に押圧して前記錠操作伝達部を下方に動作させると、前記ガラス扉枠施錠部が、前記錠操作伝達部と一体で下方に動作して前記係合部の前記被係合部に対する係合が解除され、
前記挿通部は、
前記挿通部が前記施錠位置にあるときに、前記規制部の直下に所定の隙間を隔てた状態で配置される基準部と、
前記挿通部が前記施錠位置にあるときに、該基準部よりも前記回動軸心側に位置する箇所に設けられると共に、前記挿通部が前記施錠位置にあるときの基準部よりも、上端部を上方に配置する不正挿通規制部と、
を備えることを特徴とする。
【００３１】
ここで、本明細書において、「カム部材の挿通部」とは、カム部材のうちで、以下の部分を指す。つまり、「ガラス扉枠が中枠に施錠された状態にあるときに、挿通用空間部（挿通孔等）に挿通されている部分」のみでなく、「ガラス扉枠の中枠に対する施錠状態を解除する際に、挿通用空間部（挿通孔等）に挿通される部分」も含まれる。
【００３２】
参考発明２の発明によっても、不正行為の防止を図る上で、有効な施錠装置を得ることができる。つまり、前述の施錠装置７００Ｊ（特願２００６−５７８２１号で例示された施錠装置７００Ｊ）においては、図４４に示すように、錠操作伝達部１０Ｅに縦長で略矩形状の挿通孔（挿通用空間部の具体例）１０Ｒが設けられ、この挿通孔１０Ｒに、「カム部材１０Ｇの挿通部１０Ｓ」が挿通される。そして、錠操作伝達部１０Ｅにおいて挿通孔１０Ｒの下縁部を構成する部位によって受圧部１０Ｔが構成され、所定の操作部材（キー等）を用いて錠部材１０Ｈを操作すると、「挿通部１０Ｓ」が、受圧部１０Ｔを下方に押圧するため、錠操作伝達部１０Ｈが下方に動作する。これにより、ガラス扉枠施錠部１０Ｃも、下方に動作するため、「ガラス扉枠施錠部１０Ｃの係合部１０Ｎ（図４２を参照）」の「中枠の被係合部」に対する係合が解除され、ガラス扉枠の中枠に対する施錠状態が解除される。
【００３３】
ところが、この施錠装置７００Ｊにおいては、「挿通部１０Ｓ」が、先端部が尖った（鋭角状の）略三角形状とされている。つまり、「上下方向（挿通孔の長手方向）に沿った幅」が、先端部に向かって徐々に小さくなる形状とされる。しかも、ガラス扉枠が中枠に対して施錠状態にあるときに、この先端部の上面部と、挿通孔１０Ｒの上縁部（上方内壁部）との間には、大きな隙間（先端部の上下方向幅を超える幅）を備える。このため、この施錠装置７００Ｊにおいては、不正行為者が、錠操作伝達部１０Ｅの上端部等を下方に押圧すると、挿通孔１０Ｒの上縁部が、「挿通部１０Ｓ」を下方に押圧した勢いで、挿通部１０Ｓ、ひいては、カム部材１０Ｇを回転させてしまうおそれがある。このため、この施錠装置７００Ｊにおいては、かかる不正行為を不可能としたり、行い難くするための改良を施すことが望ましい。そして、参考発明２の発明は、このような改良を意図してなされたものである。
【００３４】
即ち、参考発明２の発明では、錠操作伝達部において、規制部及び受圧部を挿通用空間部を挟んで上下に対向する状態に設ける。また、カム部材の挿通部において、基準部よりも錠軸側に位置する箇所に「不正挿通規制部」が設けられる。そして、「不正挿通規制部」の上端部が、基準部の上端部よりも上方に配置される。このため、錠操作伝達部の上端部等を下方に押圧し、錠操作伝達部が下方に動作しても、「不正挿通規制部」が、挿通用空間部（挿通孔等）内に進入に難い。例えば、錠操作伝達部の上端部等を下方に押圧し、しかも、カム部材に解錠方向（ガラス扉枠を解錠するための方向）への回転が加わっても、不正挿通規制部は、錠操作伝達部の表面部のうちで、挿通用空間部の上縁部に近接する部位に衝突する可能性が高い。
【００３５】
そして、不正挿通規制部が「不正防止用のストッパー」となり、「不正挿通規制部が挿通用空間部（挿通孔等）内に進入すること」が禁止されるため、カム部材の解錠方向（ガラス扉枠を解錠するための方向）への回転量が、それ以上に多くなることが防止される。このため、カム部材の挿通部によって受圧部を下方に押圧することが禁止されるか、若しくは、困難となる。よって、「錠操作伝達部の上端部等を下方に押圧する行為（正規の解錠操作とは異なる不正な行為である。）」によっては、「ガラス扉枠の中枠に対する施錠状態」を解除することは不可能、若しくは、困難とされる。従って、参考発明２の発明によると、不正行為の防止を図る上で、有効な施錠装置を得ることができる。
【００３６】
尚、参考発明２の発明の挿通部は、「不正挿通規制部よりも回動軸心に近接する箇所」に、「上方に開口する逃がし用凹部」を備えることが望ましい（以下、「関連発明１」という。）。この場合、不正挿通規制部の上方への延設量（基準部を基準とした上方への突出量）を十分に確保しつつも、「錠部材の円滑な操作性」を確保できるからである。つまり、「不正挿通規制部」の上方への延設量（基準部を基準とした上方への突出量）を多くすると、不正挿通規制部が、前述の「不正防止用のストッパー」としてより確実に機能する。そして、「ガラス扉枠を解錠するための正規の解錠操作」に伴って、カム部材に解錠方向（ガラス扉枠を解錠するための方向）への回転が加わえられると、規制部が下方に動作するが、挿通部に以下のような構成の逃がし用凹部を設けると、カム部材に解錠方向（ガラス扉枠を解錠するための方向）への回転を円滑に行うことができるため、好ましい。
【００３７】
つまり、参考発明２の発明によると、カム部材に解錠方向（ガラス扉枠を解錠するための方向）への回転を加え、カム部材の挿通部が、受圧部を所定量だけ下降させ、この受圧部の下降に伴って規制部を同量だけ下降する。この際、カム部材の挿通部も、カム部材の一部として回転する（下方に傾動するように回転する。）。このとき、規制部が下降する位置に、逃がし用凹部が存在し、規制部が、逃がし用凹部内に挿入される構造（但し、逃がし用凹部の底部と、規制部との間には隙間を確保する。）とする。これにより、カム部材に解錠方向（ガラス扉枠を解錠するための方向）への回転を円滑に行うことができる。
【００３８】
ここで、各請求項の発明において、通常、外枠は「所定の設置部位」に設置される。この「設置部位」としては、例えば、パチンコホールの島設備に設けられる「設置部位」を例示できる。また、各請求項の発明の中枠は、遊技盤を保持するための保持部を備えおり、ガラス扉枠は、ガラス板（ガラス扉枠が閉鎖状態とされたときに、中枠で保持された遊技盤の前方に配置されるガラス板である。）と、このガラス板を保持する扉枠本体とを備えている。そして、後者のガラス扉枠において、扉枠本体に、ガラス板を保持するための保持手段は、扉枠本体に対して固定的に装着されても（開閉不可能な状態に装着されても）、開閉可能な状態に装着されてもよい。更に、遊技球を貯留するための受皿部（所謂、「上皿」と称する部分）を備えている。
【００３９】
各請求項の発明において、可動片部と係合部とは、一体的に作製（形成）されてもよいし、可動片部と係合部とを別体で作製（形成）した後、連結若しくは接合等して一体化されてもよい。また、各請求項の発明において、可動片部を単一の部材で構成してもよいし、複数の部材を連結若しくは接合等して構成してもよい。更に、各請求項の発明において、「係合部」の数は、各々、単数であってもよいし、複数であってもよい。また、「係合部」の形状は特に問わず、例えば、鉤状、フック状等を例示できる。
【００４０】
各請求項の発明において、錠部材を操作するための「操作部材」としては「カギ」を例示できる。また、各請求項の発明の「カム部材」においては、錠軸を左右一方の方向（つまり、一の方向）に回転させ、「カム部材」を、錠軸と同方向に回転させ、この「カム部材」で、受圧部を下方に押圧すると、錠操作伝達部が下降する。この場合、「係合部」の動作態様は種々選択でき、「錠操作伝達部」の下降に伴って下降する態様や、回転する態様（係合部において、カム部材から負荷される操作力が伝達される部位とは異なる部位が、回転可能に支持されている場合）等を例示できる。尚、この「受圧部（参考発明２の発明を参照）」とは、錠操作伝達部において、「錠操作伝達部に、ガラス扉枠を解錠させるための動作、つまり、下降動作を行わせるために、カム部材によって押圧される部分」である。
【００４１】
尚、参考発明２の発明の施錠装置は、参考発明１又は請求項１の発明の特徴を備えていることが好ましい。
【００４２】
請求項２に記載の施錠装置は、請求項１に記載の施錠装置において、
前記外枠の中枠施錠用被係合部に係合可能な中枠施錠用係合部を具備する中枠施錠部を有し、
前記中枠施錠用係合部を前記中枠施錠用被係合部に係合させて前記中枠の前記外枠に対する施錠状態を構成し、
前記カム部材を前記一の方向とは異なる他の方向に回転させ、前記カム部材によって前記錠操作伝達部を上方に動作させると、前記中枠施錠部の被押圧部が、前記錠操作伝達部の中枠解錠用押圧部によって上方に押圧され、前記中枠施錠部が所定の態様で動作して前記中枠施錠用係合部の前記中枠施錠用被係合部に対する係合が解除され、前記中枠の前記外枠に対する施錠状態が解除されることを特徴とする。
【００４３】
請求項２の発明によると、施錠装置としての利便性が向上する。例えば、「中枠の外枠に対する施錠状態」を解除するためには、「ガラス扉枠の解錠操作を行うための操作部材（例えば、キー）」を用いて、錠部材に解錠操作を施させば足りるからである。つまり、同一の「操作部材（例えば、キー）」を用いて、カム部材を逆方向（ガラス扉枠の解錠操作を行う場合とは逆方向）」に回転させるだけで、「中枠の外枠に対する施錠状態」を解除することができるからである。
【００４４】
請求項２の発明では、（ａ）中枠施錠部において、中枠施錠用係合部とその他の部分とが、一体的に作製（形成）されてもよい（特に、中枠施錠部全体が、中枠施錠用係合部であってもよい）し、（ｂ）中枠施錠部において、中枠施錠用係合部とその他の部分とを別体で作製（形成）した後、連結若しくは接合等して一体化されてもよい。また、請求項２の発明において、「中枠施錠用係合部」の数は、各々、単数であってもよいし、複数であってもよい。また、「中枠施錠用係合部」の形状は特に問わず、例えば、鉤状、フック状等を例示できる。
【００４５】
請求項２の発明において、各請求項の発明の「カム部材」においては、錠軸を左右他方の方向（つまり、他の方向）に回転させ、「カム部材」を、錠軸と同方向に回転させ、この「カム部材」で、「中枠施錠解除用受圧部」を上方に押圧すると、錠操作伝達部が上昇する。これにより、中枠施錠部の被押圧部が、錠操作伝達部の中枠解錠用押圧部によって上方に押圧され、中枠施錠用係合部の中枠施錠用被係合部に対する係合が解除される。この場合、「中枠施錠用係合部」の動作態様は種々選択でき、「錠操作伝達部」の上昇に伴って上昇する態様や、回転する態様（中枠施錠用係合部において、カム部材から負荷される操作力が伝達される部位とは異なる部位が、回転可能に支持されている場合）等を例示できる。尚、この「中枠施錠解除用受圧部」とは、錠操作伝達部において、「錠操作伝達部に、中枠を解錠させるための動作、つまり、上昇動作を行わせるために、カム部材によって押圧される部分」である。
【００４６】
ここで、「参考発明１の発明の錠操作伝達部と、参考発明１の発明のガラス扉枠施錠部との間に採用される構造的な特徴」を、請求項２の発明の錠操作伝達部と、請求項２の発明の中枠施錠部との間にも用した関連発明（以下、「関連発明２」という。）を例示することができる。
【００４７】
つまり、関連発明２では、請求項２の発明において、（１）「錠操作伝達部の中枠解錠用押圧部を突起状に構成し（以下、「第２の押圧用突起部」という。）、（２）錠操作伝達部の上下方向に沿った特定の部位を、支持本体部から離間する方向に向かって下り傾斜となる略傾斜状、若しくは、略水平状の防護部（以下、「第２の防護部」という。）とする。そして、この「第２の押圧用突起部」を、第２の防護部の裏面部の下方側において支持本体部の方向に向かって突出する状態に配置されてもよい。この関連発明２は、「錠操作伝達部を不正に持ち上げ、中枠の外枠に対する施錠状態を不正に解錠する行為」を防止したり、行い難くできる点で有益である。
【００４８】
同様に、「請求項１の発明の錠操作伝達部と、請求項１の発明のガラス扉枠施錠部との間に採用される構造的な特徴」を、請求項２の発明の錠操作伝達部と、請求項２の発明の中枠施錠部との間にも採用した関連発明（以下、「関連発明３」という。）を例示することができる。
【００４９】
つまり、関連発明３では、請求項２の発明にて、（１）「中枠施錠部の被押圧部を突起状に構成し（以下、「第２の被押圧用突起部」という。）、（２）錠操作伝達部の上下方向に沿った特定の部位を、支持本体部に近接する方向に向かって下り傾斜となる略傾斜状、若しくは、略水平状の防護部（以下、「第３の防護部」という。）とする。そして、この「第２の被押圧用突起部」を、第３の防護部の裏面部の下方側において支持本体部から離間する方向に向かって突出する状態に配置されてもよい。この関連発明３も、「錠操作伝達部を不正に持ち上げ、中枠の外枠に対する施錠状態を不正に解錠する行為」を防止したり、行い難くできる点で有益である。
【００５０】
更に、「参考発明２の発明の錠操作伝達部と、参考発明２の発明のカム部材との間に採用される構造的な特徴」を、請求項２の発明の錠操作伝達部と、請求項２の発明の中枠施錠部との間にも採用した関連発明（以下、「関連発明４」という。）を例示することができる。
【００５１】
つまり、関連発明４では、請求項２の発明にて、（１）錠操作伝達部に対して、表面部及び裏面部を貫通する「第２の挿通空間部」を貫通孔状、若しくは、切り欠き状に設けると共に、上方に位置する「第２の受圧部」と、下方に位置する「第２の規制部」とを、「第２の挿通用空間部」を挟んで上下に対向する状態に設ける。また、（２）カム部材に、第２の挿通用空間部に対して錠操作伝達部の表面部の側から裏面部の側に向かって遊入状態で挿通される「第２の挿通部」を設ける。
【００５２】
そして、関連発明４では、（３）錠軸を、他の方向（参考発明２の一の方向とは逆方向）に回転させて、カム部材を、この一の方向に回転させ、第２の挿通部の位置を、施錠位置（以下、「第２の施錠位置」という。）から、この「第２の施錠位置」よりも上方の解錠位置（以下、「第２の解錠位置」という。）に向かって、略円弧状の通過経路をたどって移行させ、第２の挿通部によって、第２の受圧部を上方に押圧して錠操作伝達部を上方に動作させると、中枠施錠部が錠操作伝達部と一体で動作して、中枠施錠用係合部の中枠施錠用被係合部に対する係合が解除され、中枠の外枠に対する施錠状態が解除される構成とする。
【００５３】
更に、関連発明４では、（４）第２の挿通部は、「第２の挿通部が、第２の施錠位置にあるときに、第２の規制部の鉛直上方に所定の隙間を隔てた状態で配置される第２の基準部」と、「第２の挿通部が、第２の施錠位置にあるときに、第２の基準部よりも錠軸側に位置する箇所に延設されると共に、第２の挿通部が、第２の施錠位置にあるときの第２の基準部よりも、下端部を下方に配置する、第２の不正挿通規制部」と、を備える構成とする。この関連発明４も、「錠操作伝達部を不正に持ち上げ、中枠の外枠に対する施錠状態を不正に解錠する行為」を防止したり、行い難くできる点で有益である。
【００５４】
請求項３に記載の施錠装置は、請求項１又は２に記載の施錠装置において、
上下方向に長尺な略帯板状とされつつ前記支持本体部に上下動可能な状態で支持される受皿扉部材用可動片部と、
該受皿扉部材用可動片部と一体で上下動可能され、前記受皿扉部材に設けられた受皿扉部材施錠用被係合部に係合可能な受皿部材施錠用係合部と、を有し、
前記受皿部材施錠用係合部を前記受皿扉部材施錠用被係合部に係合させて前記受皿扉部材の前記中枠に対する施錠状態を構成する受皿扉部材施錠部を有し、
前記カム部材を前記一の方向に回転させ、前記カム部材によって前記受皿扉部材施錠部の被操作部を下方に押圧すると、前記受皿扉部材施錠部が、下方に動作して前記受皿扉部材施錠用係合部の前記受皿扉部材施錠用被係合部に対する係合が解除され、
前記受皿扉部材用可動片部は、
前記被操作部を有すると共に所定の傾動支点部において後方への傾動を実行可能な状態に支持され、前記被操作部の位置を前記カム部材との当接が可能な当接位置に維持しつつ構成される基本姿勢と、前記後方への傾動を実行して前記被操作部の位置を前記カム部材との当接が不可能な退避位置に変更しつつ構成される傾動姿勢と、の間で、姿勢変更可能とされる動作選択部と、
前記動作選択部の姿勢が、前記基本姿勢となるように前記動作選択部を付勢する付勢手段と、
を具備し、
前記ガラス扉枠を閉鎖状態とすると、前記ガラス扉枠、若しくは、前記ガラス扉枠に配設された姿勢変更部材によって、前記動作選択部が後方に押圧され、前記動作選択部の姿勢が前記傾動姿勢に姿勢変更されることを特徴とする。
【００５５】
請求項３の発明によると、ガラス扉枠及び受皿扉部材の解錠操作を円滑に実行できる施錠装置が得られる。つまり、施錠装置においては、「ガラス扉枠及び受皿扉部材のうちの一方を開放状態にするための操作」に関しては、常時、実行可能であるが、他方を開放状態にするための操作に関しては、一方が開放状態である場合に限って実行可能とすることがある。このような施錠装置としては、特開平１０−１５１２５４号公報に示す施錠装置（以下、「従来例」という。）を例示できる。
【００５６】
この従来例に係る施錠装置は、「ガラス扉枠（前面枠）に解錠操作を施すための操作部（以下、「ガラス扉枠用の操作部」という。）」を、遊技機の前方に露呈する状態に備えると共に、「受皿扉部材に解錠操作を施すための操作部（以下、「受皿扉部材用の操作部」）」を、ガラス扉枠の後方（閉鎖状態とされるガラス扉枠の後方）に隠蔽された状態に備えている。このため、「ガラス扉枠用の操作部」については、常時、操作可能であるが、「受皿扉部材用の操作部」については、「ガラス扉枠」が開放状態となった場合に限って操作可能とされている。
【００５７】
しかし、この従来例においては、「受皿扉部材の施錠を解除するための操作（つまり、受皿扉部材を開放状態とするための操作）」を円滑に行うことが困難な場合がある。蓋し、この従来例において、「受皿扉部材の施錠の解除」を行うためには、別位置に存在する、２個の操作部（ガラス扉枠用の操作部と、受皿扉部材用の操作部）に対して、異なる態様の操作を順次、行うことが必要である。しかも、通常時（ガラス扉枠及び受皿扉部材が閉鎖状態にあるとき）には、「受皿扉部材用の操作部」が隠蔽されていると共に、「受皿扉部材用の操作部」の配設位置は、製造メーカが異なる遊技機毎に異なることが予想される。このため、パチンコホールの店員が、「受皿扉部材用の操作部」に操作を施そうと考えても、「受皿扉部材用の操作部」を瞬時に発見することができないことがあるからである。
【００５８】
一方、請求項３の発明の施錠装置では、ガラス扉枠及び受皿扉部材が中枠に施錠されると、動作選択部の姿勢が傾動姿勢に変更され、受皿扉部材施錠部の被操作部の位置が退避位置に変更される。ここで、「受皿扉部材施錠部の被操作部」とは、受皿扉部材施錠部において、「錠操作伝達部に、受皿扉部材を解錠させるための動作、つまり、下降動作を行わせるために、カム部材によって押圧される部分」である。
【００５９】
このように、受皿扉部材施錠部の被操作部の位置が退避位置に変更されると、錠部材に対して、「ガラス扉枠の施錠を解除するための解錠操作」を施すことは可能であるが、「受皿扉部材の施錠を解除するための解錠操作」を施すことは不可能とされる。つまり、ガラス扉枠及び受皿扉部材が施錠状態にあるときに、錠軸部を一の方向に回転させ、受圧部を下方に押圧すると、係合部の被係合部への係合を解除することができるが、受皿扉部材施錠用係合部の受皿扉部材施錠用被係合部に対する係合を解除することはできない。換言すると、受皿扉部材の施錠を維持した状態で、ガラス扉枠の施錠を解除することができる。
【００６０】
また、請求項３の発明の施錠装置において、受皿扉部材の施錠を解除する場合には、以下の操作に従う。先ず、前述のように、錠軸部を一の方向に回転させ、カム部材を一の方向に回転させ、受圧部を下方に押圧して、ガラス扉枠の施錠を解除する。そして、ガラス扉枠を開放状態とすると、ガラス扉枠（若しくは、姿勢変更部材）が、動作選択部から離間するため、付勢手段の付勢力を用いて、この動作選択部の姿勢が基本姿勢に戻される。この後、錠軸部を、再び、一の方向に回転させ、カム部材を一の方向に回転させると、「受皿扉部材施錠部の被操作部」が下方に押圧される。このため、受皿扉部材施錠用係合部の受皿扉部材施錠用被係合部に対する係合を解除することができる。つまり、ガラス扉枠及び受皿扉部材が施錠状態にあるときに、先ず、ガラス扉枠の施錠を解除し、ガラス扉枠を開放状態とした後に、錠部材に同様な操作（ガラス扉枠の施錠を解除する際の操作と同様な操作）を施すと、受皿扉部材の施錠を解除することができる。
【００６１】
このように、請求項３の発明の施錠装置では、「同一の錠部材に対して施す同様な操作」によって、ガラス扉枠の施錠の解除と、受皿扉部材の施錠の解除とを順次、を行うことができる。このため、ガラス扉枠の解錠操作と、受皿扉部材の解錠操作とを円滑に実行することができる。
【００６２】
また、請求項３の発明の施錠装置では、遊技機にとって、機能上必要とされる「ガラス扉枠（前面枠）」、若しくは、この「ガラス扉枠（前面枠）に装着される規制部材」を、「受皿扉部材の解錠を規制するための部材」として利用する。しかも、単に、「ガラス扉枠（前面枠）」を開放状態とするだけで、「受皿扉部材の解錠規制」が解除される。よって、請求項３の発明によると、より簡易な構成と、操作性とを備える施錠装置が得られる。
【００６３】
尚、請求項３の発明には、以下のような意義も存在する。即ち、パチンコホールの日常的な営業活動において、「ガラス扉枠（前面枠）が開放状態される頻度」は、「受皿扉部材が開放状態とされる頻度」に比べて高くなる。例えば、「受皿扉部材の後方で生ずる球詰まり（発射装置や発射レールにおける球詰まり）の頻度」に比べて、「ガラス扉枠（前面枠）の後方で生ずる球詰まり（遊技領域内で生ずる球詰まり）の頻度」が高くなるからである。そして、請求項３の発明によると、「ガラス扉枠用の操作部」及び「受皿扉部材用の操作部」の一本化等を通じて施錠装置の構成の簡易化等を図りつつも、「実行頻度の高い、ガラス扉枠（前面枠）の解除操作」の円滑な実行を担保している。
【００６４】
つまり、「ガラス扉枠（前面枠）」等を利用して、動作選択部の姿勢を傾動姿勢に変更すれば、「受皿扉部材の施錠状態」を確実に維持したまま、ガラス扉枠の施錠を解除することができる。換言すると、作業者（パチンコホールの店員）の意に反して、受皿扉部材が不用意に開放状態となり、この作業者の作業（ガラス扉枠を開放するための作業や、遊技領域における球詰まりを解消するための作業等）の邪魔になることを、「動作選択部及び付勢手段を主体とする簡易な構成」によって防止できる。
【００６５】
請求項３の発明においては、受皿扉部材用可動片部を、動作選択部のみで構成してもよいが、動作選択部と他の部分とで構成してもよい。例えば、動作選択部が、本体部と、この本体部よりも前方に突出する「姿勢変更用突出部」と、を備える構成とされてもよい。この場合、例えば、「ガラス扉枠を閉鎖状態とすると、ガラス扉枠、若しくは、ガラス扉枠に配設された姿勢変更部材によって、姿勢変更用突出部が後方に押圧され、動作選択部の姿勢が傾動姿勢に姿勢変更されること」とすることもできる。
【００６６】
請求項３の発明においては、ガラス扉枠の後面部に姿勢変更用突起を設けたり、ガラス扉枠の後面部に装着された姿勢変更部材によって姿勢変更用突起を構成してもよい。この場合、例えば、「ガラス扉枠を閉鎖状態とすると、姿勢変更用突起によって、動作選択部が後方に押圧され、動作選択部の姿勢が傾動姿勢に姿勢変更されること」とすることもできる。
【００６７】
請求項３の発明において、「ガラス扉枠によって、動作選択部が後方に押圧される」態様は、（１）扉枠本体（具体的には、扉枠本体の後面部）によって、動作選択部が後方に押圧される態様と、（２）ガラス板（具体的には、ガラス板の後面部である。）によって、動作選択部が後方に押圧される態様と、（３）扉枠本体及びガラス板によって、動作選択部が後方に押圧される態様と、のうちの何れであってもよい。
【００６８】
尚、請求項３の発明において、「姿勢変更部材」は、以下の場合等に用いられる。例えば、ガラス扉枠（ガラス扉枠の後面部）と、中枠（中枠の前面部）との隙間が大きく、ガラス扉枠を閉鎖状態としても、ガラス扉枠（ガラス扉枠の後面部）によって動作選択部を後方に押圧することが困難な場合は、ガラス扉枠（ガラス扉枠の後面部）に別途、配設される。そして、この配設された姿勢変更部材によって動作選択部が後方に押圧される。
【００６９】
請求項３の発明において、受皿扉部材用可動片部と受皿扉部材用係合部とは、一体的に作製（形成）されてもよいし、受皿扉部材用可動片部と受皿扉部材用係合部とを別体で作製（形成）した後、連結若しくは接合等して一体化されてもよい。また、請求項３の発明において、受皿扉部材用可動片部を単一の部材で構成してもよいし、複数の部材を連結若しくは接合等して構成してもよい。更に、請求項３の発明において、「受皿扉部材用係合部」の数は、各々、単数であってもよいし、複数であってもよい。また、「受皿扉部材用係合部」の形状は特に問わず、例えば、鉤状、フック状等を例示できる。
【００７０】
請求項３の発明において、動作選択部の姿勢が基本姿勢にあるときには、錠軸を左右一方の方向（つまり、一の方向）に回転させ、「カム部材」を、錠軸と同方向に回転させると、この「カム部材」で、「被操作部」を下方に押圧し、受皿扉部材用可動片部を下降させることができる。この受皿扉部材用可動片部が下降する際の「受皿扉部材用係合部」の動作態様は種々選択でき、「錠操作伝達部」の下降に伴って下降する態様や、回転する態様（受皿扉部材用係合部において、カム部材から負荷される操作力が伝達される部位とは異なる部位が、回転可能に支持されている場合）等を例示できる。
【００７１】
請求項４に記載の遊技機は、
請求項１〜請求項３の何れか一項に記載の施錠装置を具備することを特徴とする。
【００７２】
請求項４の発明の遊技機は、請求項１〜請求項３の何れか一項に記載の「施錠装置」を備える遊技機である。このため、請求項４の発明によると、請求項１〜請求項３の何れか一項に記載の発明と同様な効果が得られる。また、請求項４の発明の遊技機は、関連発明１〜関連発明４のうちの何れかの発明の特徴を備えていてもよい。
【発明の効果】
【００７３】
以上記述したように、請求項１〜請求項３の各発明によれば、不正行為の防止を図る上で、有効な施錠装置が得られる。また、請求項４の発明によると、不正行為の防止を図る上で、有効な施錠装置を具備する遊技機が得られる。
【図面の簡単な説明】
【００７４】
【図１】本発明の実施例に係る遊技機を示す正面図である。
【図２】本発明の実施例に係る遊技機が設置される島設備の説明図である。
【図３】本発明の実施例に係る遊技機において、遊技機本体と外枠を説明するための説明図である。
【図４】本発明の実施例に係る遊技機において、前面枠及び受皿扉部材が開いた状態を示す模式的な斜視図である。
【図５】本発明の実施例に係る遊技機において、前面枠を外した状態の模式的な正面図である。
【図６】本発明の実施例に係る遊技機において、前面枠が開いた状態を示す説明図である。
【図７】（ａ）は受皿扉部材の模式的な背面図であり、（ｂ）は受皿扉部材の模式的な縦断面である。
【図８】本発明の実施例に係る遊技機において、遊技盤を示す正面図である。
【図９】本発明の実施例に係る遊技機を示す裏面図である。
【図１０】本発明の実施例に係る電子制御装置を示すブロック図である。
【図１１】本発明の実施例に係る施錠装置（錠部材を除く）の側面図である。
【図１２】本発明の実施例に係る施錠装置（錠部材を除く）の正面図である。
【図１３】本発明の実施例に係る施錠装置（錠部材を除く）の背面図である。
【図１４】本発明の実施例に係る施錠装置の取付状態を説明するための横断面図である。
【図１５】本発明の実施例に係る施錠装置（錠部材を除く）の概略的な縦面図（第１の受圧部及び第２の受圧部を縦断する態様）である。
【図１６】本発明の実施例に係る施錠装置（錠部材を除く）の概略的な縦面図（第３の受圧部を縦断する態様）である。
【図１７】本発明の実施例に係る施錠装置（錠部材を除く）の概略的な縦面図である。
【図１８】本発明の実施例に係る施錠装置（錠部材を除く）の概略的な縦面図である。
【図１９】本発明の実施例に係る施錠装置（錠部材を除く）の概略的な縦面図である。
【図２０】本発明の実施例に係る施錠装置（錠部材を除く）の概略的な縦面図（第１の受圧部及び第２の受圧部を縦断する態様）である。
【図２１】本発明の実施例に係る施錠装置の説明図である。
【図２２】本発明の実施例に係る施錠装置の説明図である。
【図２３】本発明の実施例に係る施錠装置を構成する錠部材の斜視図である。
【図２４】（ａ）は図２３の錠部材を構成するカム部材の横断面図（第２の突起部を横断）、（ｂ）は図２３の錠部材を構成するカム部材の横断面図（第１の突起部を横断）である。
【図２５】（ａ）及び（ｂ）は図２３の錠部材を構成するカム部材の説明図である。
【図２６】図２３の錠部材を構成するカム部材の説明図である。
【図２７】図２３の錠部材を構成するカム部材の説明図である。
【図２８】本発明の実施例に係る施錠装置において付勢手段（第１のコイルスプリング）の機能を説明するための説明図である。
【図２９】（ａ）は本発明の実施例に係る施錠装置において可動鉤部材の機能を説明するための説明図であり、（ｂ）は図２２（ａ）のａ−ａ断面図である。
【図３０】本発明の実施例に係る施錠装置において可動鉤部材の機能を説明するための説明図である。
【図３１】（ａ）及び（ｂ）は、本発明の実施例に係る施錠装置において第２のコイルスプリングの機能等を説明するための説明図である。
【図３２】本発明の実施例に係る施錠装置を構成する「第２の係合部」等を説明するための説明図である。
【図３３】本発明の実施例に係る施錠装置を構成する「第１の係合部」等を説明するための説明図である。
【図３４】本発明の実施例に係る施錠装置を構成する「第１の係合部」等を説明するための説明図である。
【図３５】本発明の実施例に係る施錠装置の動作を説明するための縦断面図である。
【図３６】動作選択部の機能等を説明するための縦断面図である。
【図３７】本発明の実施例に係る施錠装置の動作を説明するための縦断面図である。
【図３８】本発明の実施例に係る施錠装置の動作を説明するための縦断面図である。
【図３９】動作選択部の機能等を説明するための縦断面図である。
【図４０】本発明の実施例に係る施錠装置の動作を説明するための縦断面図である。
【図４１】（ａ）は第１の変形例に係る施錠装置の説明図であり、（ｂ）は第２の変形例に係る施錠装置の説明図である。
【図４２】本出願人の出願に係る施錠装置（錠部材を除く）の側面図である。
【図４３】本出願人の出願に係る施錠装置（錠部材を除く）の概略的な縦面図である。
【図４４】本出願人の出願に係る施錠装置を構成する錠部材の斜視図である。
【発明を実施するための最良の形態】
【００７５】
以下、発明を実施するための最良の形態を示す実施例について図面に基づいて説明する。以下に示す各実施例では、各請求項に係る発明を、「セブン機」と称する遊技機（パチンコ機）１に適用した各具体例について説明する。
尚、本明細書において、「左」とは、遊技者から見て「左」であることを示し 「右」とは「遊技者から見て「右」であることを示す。また、「前」及び「表」は、「遊技機１を基準とする前方（つまり、遊技者に近接する方向）」を示し、「後」及び「裏」は、遊技機１とする後方前方（つまり、遊技者から離間する方向）」を示す。また、本明細書において、ガラス扉枠（「前面枠」ということもある。）４、中枠３、受皿扉部材５等の扉状に開閉可能な部材において、「右」とは、この部材を閉鎖状態にしたときに、遊技者から見て「右」の場合を指し、「左」とは、この部材を閉鎖状態にしたときに、遊技者から見て「左」の場合を指す。
【００７６】
（１）機械的な構造
ａ．遊技機の前面側の全体構造
先ず、この遊技機１の全体構造について、図１〜図１０を参照して説明する。この遊技機１は、図１及び図２に示すように、外枠２と、この外枠２に装着された遊技機本体Ｈと、を備えている。
【００７７】
このうち、外枠２は、図２及び図３に示すように、パチンコホールの島設備Ｓに設けられた設置部位Ｓ１に固定されると共に、遊技機本体Ｈを支持するためのものである。尚、この島設備Ｓの下方側であって、パチンコホールの床面と所定の間隔を隔てた箇所には、台部（膳台と称される。）Ｄが配設される。また、島設備Ｓの上方側には、上端部等をヒンジを用いて開閉可能な状態に支持された幕板Ｍと、幕板Ｍの下方に配置されたランプパネルＲＰとが配置されている。そして、ランプパネルＲＰと、台部（膳台）Ｄとの間に形成される空間部が、設置部位Ｓ１とされる。
【００７８】
この外枠２は、略矩形状の枠状体によって構成される外枠本体２１（図４を参照）と、外枠本体２１の前面下部を覆う前板部２２と、を備えている。このうち、外枠本体２１は、上下に一対の水平板２１ａと、左右に一対の立設板２１ｂと、を備えている。そして、両水平板２１ａは、上下に所定の間隔をおいて立設配置されると共に、左右方向に長尺とされている。また、両立設板２１ｂは、左右に所定の間隔をおいて立設配置されると共に、上下方向に長尺とされている。 
【００７９】
両立設板２１ｂは略Ｌ字状の横断面を有しており、両立設板２１ｂの相互に対向する面（以下、「内側面」という。）２１ｃは段差面とされている（図３を参照）。また、両立設板２１ｂの内側面２１ｃの間隔は、その前後方向に沿った中間部よりも後方側の部位（以下、「後方部」という。）２１ｄにおいて段差状に狭くされている。そして、右側に位置する立設板２１ｂの後方部２１ｄにおいて、その上端側と下端側に、取付具２１ｅが装着されている。これらの取付具２１ｅは、略Ｌ字状の横断面を備えると共に、後方部２１ｄの左側方に向かって板状部分２１ｆを突出させている。この板状部分２１ｆは、「中枠施錠用被係合部Ｌ３」の具体例を構成する。
【００８０】
遊技機本体Ｈは、図１〜図６を用いて示されるように、外枠２の左端側に回動自在に組み付けてられている。この遊技機本体Ｈは、遊技機１のうちで外枠２を除く部分であって、中枠３と、ガラス扉枠（前面枠）４と、受皿扉部材５、遊技盤１０（図８を参照）と、裏機構盤１０２（図９を参照）等を主要部としている。
【００８１】
中枠３は、全体がプラスチック製であり、図１〜図６を用いて示されるように、外枠２の内側に嵌めこまれ、外枠２に対して開閉可能に軸支されている。この中枠３のうちで上方側及び中間側の部位は、遊技盤１０（図８照）を前方から視認可能な状態で保持する保持部を構成している。つまり、図５に示すように、中枠３のうちで上方側及び中間側の部位には、その前後を貫通する状態に窓部３Ｍが設けられている。そして、中枠３の後面部のうちで、この窓部３Ｍを取り囲む部位からは、遊技盤１０（図８参照）が挿入される保持用突出部３３ｇが突出している。
【００８２】
この保持用突出部３３ｇは、中枠３の後方に突出するものであり、その後方から、遊技盤１０（図８参照）を受け入れて保持する。この保持用突出部３３ｇに保持される遊技盤１０（図８参照）は、図５に示すように、その前面部１０ａが、前方に向けられる。そして、この前面部１０ａの主要の部位（遊技領域１１を形成する部位を含む主要な部位）が、窓部３Ｍを通じて、中枠３の前方から視認可能とされている。
【００８３】
中枠３の右端側の後面部であって、保持用突出部３３ｇの右側方に位置する部位に、施錠装置７００が装着されている（図４を参照）。この施錠装置７００は、図１１〜図１４を用いて示されるように、上下に長尺状とされており、その前面部７００Ａ（図１４を参照）を、中枠３の後面部に当接させた状態で中枠３に装着されている。この施錠装置７０の前面部７００Ａでは、上端部側と中間部とにおいてガラス扉枠施錠用係合部Ｋ１を前方に突出させ、下端部側において上下一対の受皿扉部材施錠用係合部Ｋ２を前方に突出させている（図３及び図４を参照）。更に、施錠装置７００の後端部においては、その上端部側と、後端部側において、第３の係合部Ｋ３を後方に突出させている（図２を参照）。尚、施錠装置７００の詳細に関しては後述する。また、ガラス扉枠施錠用係合部Ｋ１は、各請求項の発明の「係合部」の具体例を構成する。
【００８４】
図５に示すように、中枠３の前面部３ａのうちで下方側の部位には、遊技球を遊技盤１０（図８を参照）に発射する発射装置（図示を省略）と、遊技球を発射ユニットに供給するための球送り装置（図示を省略）と、発射装置から発射された遊技球を外レール１４（後述する。）に向かって誘導する発射レールＹと、遊技状態に応じた効果音その他の音（音声）を発生させるスピーカー４００ａ（図１０参照）等が配設されている。尚、発射レールＹは、中枠３の下方側の前面部において、左方向に向かって上がり傾斜状に設けられている。更に、そして、遊技盤１０の背面部には、裏機構盤１０２（図３及び図９参照）が装着され、この背面部を覆う状態とされている。尚、遊技盤１０及び裏機構盤１０２の詳細に関しては後述する。
【００８５】
図５に示すように、中枠３の右端部において、上方側の部位と、中間側の部位には、各々、貫通孔３ｂ、３ｃが設けられている。これらの貫通孔３ｂ、３ｃは、中枠３の前面部及び後面部を貫通する状態に設けられ、各貫通孔３ｂ、３ｃには、ガラス扉枠施錠用係合部Ｋ１が挿通されている。このため、ガラス扉枠施錠用係合部Ｋ１は、中枠３の前面部において、その右端部の上方側の部位と、中間側の部位とか、前方に突出する状態とされている（図５を参照）。
【００８６】
図５に示すように、中枠３の右端部であって、下方側で上下に並ぶ、２箇所位にも、貫通孔３ｄ、３ｅが設けられている。これらの貫通孔３ｄ、３ｅも、中枠３の前面部及び後面部を貫通する状態に設けられ、各貫通孔３ｄ、３ｅには、受皿扉部材施錠用係合部Ｋ２が挿通されている。このため、受皿扉部材施錠用係合部Ｋ２は、中枠３の前面部において、その右端部の下方側の２箇所から前方に突出する状態とされている（図４を参照）。尚、中枠３の裏面部であって、最上部の貫通孔３ｂの背後の部位と、最下部の貫通孔３ｅの背後の部位と、からは、中枠施錠用係合部Ｋ３を後方に突出している（図３等を参照）。
【００８７】
中枠３の前面部において、上方から２個目の貫通孔３ｃの下方には、後述する錠部材７７０の前端部が装着される装着部３３ｆが設けられている。この装着部３３ｆは、中枠３の前方に隆起する構造に設けられると共に、錠部材７７０の鉤孔を、前方に露呈させる貫通孔を有している。
【００８８】
ガラス扉枠４は、ガラス扉枠の具体例を構成するものであり、図４に示すように、中枠３の前面側に配置され、中枠３の左端に開閉可能に支持されている。このガラス扉枠４は、図６に示すように、扉枠本体４１と、ガラス板４３と、ガラス板４３を扉枠本体４１に保持させる（取り付ける）ための保持部材４４と、を備えている。尚、保持部材４４を扉枠本体４１に対して一体的に設けることもできる。
【００８９】
扉枠本体４１は、プラスチック製を用いて構成され、円形状の開口部４１ａを有している。この開口部４１ａは、扉枠本体４１の前面部及び後面部を貫通する状態に設けられている。そして、ガラス扉枠４を閉じた状態としたときに、ガラス扉枠４の奥側（背後）に配置される遊技盤１０の盤面を、前方（遊技者の側であって、図１４の遊技者ＹＰを参照）から視認可能とするためのものである。つまり、この開口部４１ａは、遊技盤１０に形成された遊技領域１１（図８参照）の形状に対応して、略円周状に開設されている。
【００９０】
図６に示すように、保持部材４４は扉枠本体４１の裏面部に装着されると共に、開口部４１ａを略矩形状の取り囲む部位のうちで、その上辺部を除く部位を配置されている。この保持部材４４は、開口部を上方に向けた略コ字形に形成されている。そして、略コの字形（開口部を上方に向けた）の板状体によって構成される取付部４４ａと、取付部４４ａの後面部から後方に突出する保持本体部４４ｂと、を備えている。
【００９１】
取付部４４ａは、保持部材４４を扉枠本体４１に取り付ける際の取付代を構成する部分である。そして、取付部４４ａの前面部を扉枠本体４１の裏面部に当接させつつ、扉枠本体４１に取り付けられている。また、保持本体部４４ｂは、２つの保持溝４４ｃ、４４ｄを扉枠本体４１の後方に形成するものである。これらの保持溝４４ｃ、４４ｄは、ガラス扉枠４の上方に向かって開放されており、これらの保持溝４４ｃ、４４ｄには、ガラス扉枠４の上方から、ガラス板４３、４３が挿入されている。これにより、扉枠本体４１の後方には、枚のガラス板４３、４３が配設された状態となっている。
【００９２】
本遊技機１においては、ガラス扉枠４を閉じた状態とすると、開口部４１ａと、遊技盤１０の遊技領域１１（後述する。）とが前後方向に位置合わせされる。このため、遊技者は、ガラス板４３、４３を通じて、遊技領域１１を視認することができる。また、図４に示すように、ガラス扉枠４の右端部の上下方向に沿った中間部には、凹部４８ｇが形成されている。そして、ガラス扉枠４を閉じた状態とすると、この凹部４８ｇに装着部３３ｆが嵌合しつつ、装着部３３ｆの貫通孔が前方に露呈する。尚、本実施例のガラス扉枠（前面枠）４において、ガラス板４３、４３を直接的に保持する部分（保持部材４４）を、ガラス扉枠４の裏面に開閉不可能な状態に装着したが、本実施例と異なり、この部分を、ガラス板４３、４３と一体で開閉可能な状態に装着してもよい。
【００９３】
取付部４４ａにおいて、図４及び図６に示すように、開口部４１ａの右側方に位置する部位（以下、「右側方部位」という。）からは、２つの係合突起４５、４５が突出している。これらの係合突起４５、４５は、第１の被係合部Ｌ１の具体例を構成するものであり、右側方部位の上端部側と、下端部側とから、扉枠本体４１の後方に突出する状態に配設されている（図３を参照）。
【００９４】
両係合突起４５、４５（ガラス扉枠用被係合部Ｌ１）は、略Ｌ字状の板状体を用いて構成され、突端部を、扉枠本体４１の右側方に向けている。尚、下方に配設される係合突起４５（ガラス扉枠用被係合部Ｌ１）は、請求項３の発明の「姿勢変更部材」としても機能する。また、ガラス扉枠用被係合部Ｌ１は、各請求項の発明の「被係合部」の具体例を構成する。
【００９５】
図１に示すように、ガラス扉枠４には、各種のＬＥＤ表示部４ｂ、４ｃ、４ｄ、４ｅ、４ｆが設けられ、これらのＬＥＤ表示部４ｂ〜４ｆは、遊技効果を高めること等を目的として、ゲームの進行に応じて点灯及び消灯したり、点滅する。また、ガラス扉枠４の前面上方側の中央で左右に並ぶ２個の中上ＬＥＤ表示部４ｆ、４ｆの間には、２個の賞球ＬＥＤ表示部４ｇが設けられている。更に、賞球ＬＥＤ表示部４ｇの上方には、エラーＬＥＤ表示部４ｈが略扇形に設けられている。
【００９６】
図１及び図４に示すように、受皿扉部材５は、中枠３の前面部において、前面枠３の下方側の部位に開閉可能に装着されている。尚、前述の発射レールＹは、図４に示すように、受皿扉部材５の後方（背後）に配置されている。また、受皿扉部材５の裏側には、音量スイッチ基板１２（図１０参照）が設けられ、受皿扉部材５の皿外縁部５ａには球抜きボタンや遊技球の貸出・返却ボタン等が設けられている。
【００９７】
この受皿扉部材５は、図１及び図７に示すように、中枠３の左端に開閉可能に支持された前板部５１と、前板部５１の前面部から前方に突出する上皿部５２とを備えている。また、上皿部５２は、上方に開口する容器形状に構成されると共に、その左端側の部位には、遊技機１内から排出される遊技球を、上皿部５２の内部に導くための排出口５ｂが設けられている。
【００９８】
図７に示すように、前板部５１の後面部であって、右端側（遊技者から見て右端側）に位置する部位の後方には、板状部材５３が配設されている。この板状部材５３は、前板部５１の上下方向に並ぶ、複数の取付部材５４を介して、前板部５１の後面部と所定の間隔をおいた位置に配設されると共に、前面部が前板部５１の後面部と略平行とされている。そして、板状部材５３の上端部と中間部とに、前板部５１の右端側に延設された延設部５３ａ、５３ｂを備えている。そして、これらの延設部５３ａ、５３ｂによって、第２の被係合部Ｌ２の具体例を構成している。
【００９９】
本遊技機１においては、図３６及び図３９に示すように、施錠装置７００の「中枠施錠用係合部Ｋ３」を、外枠２の「中枠施錠用被係合部Ｌ３」に係合することで、中枠３が外枠２に対して施錠されている。また、図３３に示すように、施錠装置７００の「ガラス扉枠施錠用係合部Ｋ１」を、ガラス扉枠４の「ガラス扉枠用被係合部Ｌ１」に係合することで、ガラス扉枠４が中枠３に施錠されている。更に、図３６及び図３９に示すように、施錠装置７００の「受皿扉部材施錠用係合部Ｋ２」を、受皿扉部材５の「受皿扉部材施錠用被係合部Ｌ２」に係合することで、受皿扉部材５が中枠３に施錠されている。尚、施錠装置７００を用いた施錠方法や、その解除方法の詳細に関しては後述する。
【０１００】
図１に示すように、前面枠３の前面部であって、上皿部５よりも下方の部位には、下皿部６が突出状に設けられている。そして、この下皿部６の略中央には、遊技機１の内部から遊技球を排出するための排出口６ａが設けられている。また、下皿部６の左端には灰皿６ｂが設けられ、下皿部６の右端には発射ハンドル９が設けられている。更に、下皿部６の上部には、灰皿６ｂの上面を開閉可能なスライド蓋が設けられている。また、下皿部６の底面には球抜き孔（図示を省略）が設けられている。この球抜き孔は、通常時には、閉鎖されているが、下皿部６に貯留された遊技球を遊技機１から排出する際に開放状態とされる。
【０１０１】
図１に示すように、発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。
【０１０２】
更に、図１に示すように、遊技機１の左端側には、プリペイドカードユニット１３が設けられている。尚、上皿部５の略中央部には第１音声出力部５ｃが設けられている。この第１音声出力部５ｃには、スピーカー４００ａを構成する中高音用ユニット（ツィータ）が、ダクト（図示を省略）を介して接続されている。
【０１０３】
また、下皿部６における排出ノブ６ｃの右側及び左側には第２音声出力部６ｄが設けられている。この第２音声出力部６ｄには、スピーカー４００ａを構成するユニット（ウーハ）が、ダクト（図示を省略）を介して接続されている。また、本遊技機１では、受皿扉部材５の前面における左端側の部位に、２つの操作ボタンＢ１、Ｂ２を配置している。
【０１０４】
ｂ．遊技盤１０の構成
次に、遊技盤１０の構成について、図８を用いて説明する。この遊技盤１０は、中枠３に保持されるとともに、後述する裏機構盤１０２（図９参照）によりその背面側が覆われている。この遊技盤１０の前面部１０ａには、レール部材Ｒが配置されている。このレール部材Ｒは、ともに帯状の金属板を用いて構成される外側レール１４と、内側レール１５とを用いて構成されている。そして、この遊技盤１０の前面部１０ａにおいて、このレール部材Ｒのうちで、領域レール部ｒによって、遊技盤１０の前面部１０ａに構成される遊技領域１１の外縁部Ｇを構成している。
【０１０５】
つまり、外側レール１４は、遊技盤１０の前面部１０ａにおいて、「開口部を下方に向けた略円弧形状に配置された帯状の金属板」を用いて構成される。また、内側レール１５は、遊技盤１０の前面部１０ａのうちで、外側レール１４の内側の部位において、「開口部を上方に向けた略円弧形状に配置された帯状の金属板」を用いて構成される。そして、内側レール１５の略全体と、外側レール１４の上部側の部分とによって、略円形の「領域レール部ｒ」が構成される。
【０１０６】
本遊技機１においては、遊技盤１０の右斜め下方の発射装置によって打ち出され、左上がり傾斜状の発射レールＹに沿って上昇した遊技球は、遊技盤１０の左端側において、外側レール１４と内側レール１５との間の誘導通路を経て、遊技盤１０の左上部の「領域入口部」に導かれた後、「領域レール部ｒ」によって包囲された遊技領域１１に放出される構造となっている。
【０１０７】
遊技領域１１内には、中央装置２６と、始動口（普通電動役物１７１）１７と、下部装置１８と、左入賞口１９、右入賞口２０、左下入賞口２１、右下入賞口２２と、多数の障害釘２３と、一対のランプ風車２４、２５等が配設されている。
【０１０８】
中央装置２６は遊技領域１１の略中央部に配置されると共に、液晶表示装置２７を備えている。また、中央装置２６の上部中央には、普通図柄表示装置３２が配置されている。この普通図柄表示装置３２は、７セグメント表示器３２ａと、普通図柄保留表示ＬＥＤ３２ｂとを有している。更に、中央装置２６の左右斜め下方には、普通図柄作動ゲート３６、３７がそれぞれ設けられ、この左右の普通図柄作動ゲート３６、３７内に左、右普通図柄作動ゲート通過検出スイッチ３６ｓ、３７ｓ（図１０参照）が配設されている。
【０１０９】
遊技領域１１において、中央装置２６の下方に離れた位置には、始動口１７が配設されている。そして、この始動口１７の入口側部分に、普通電動役物１７１が配置されている。つまり、この普通電動役物１７１は、いわゆるチューリップ式で左右に一対の翼片部が開閉するべく形成されている。また、普通電動役物１７１の内部には、遊技球の通過を検出する始動口（普通電動役物１７１）入賞検出スイッチ１７ｓ（図１０参照）と、翼片部を作動させるための始動口（普通電動役物）ソレノイド１７ｃ（図１０参照）とが備えられている。この一対の翼片部が左右に開くと、遊技球の入球可能性が大きくなる開放状態となり、一対の翼片部が立設され、遊技球の入球可能性が小さくなる通常状態となる。
【０１１０】
下部装置１８は、上記始動口（普通電動役物１７１）１７の下方に配設されており、前面側が略逆台形状に形成された基板３４に、大入賞装置３１と、左下入賞口２１と右下入賞口２２とを備えている。ここで、大入賞装置３１は、略中央に形成され、帯状に開口された大入賞口３１１と、この大入賞口３１１を開放・閉鎖する開閉板３１２と、この開閉板３１２を開閉するための大入賞口ソレノイド３１３（図１０参照）と、連動杆（図示略）と、入賞球を検出する入賞球検出スイッチ３１８（図１０参照）と、裏箱（図示略）と、大入賞口中継基板（図示略）とから主に構成されている。
【０１１１】
また、左下入賞口２１は、始動口（普通電動役物１７１）１７の略斜め左下側に配設されて、内部に左下入賞口通過検出スイッチ２１ｓ（図１０参照）が設けられている。そして、この左下入賞口２１の下方には複数個の左下入賞口ＬＥＤ２２３が左下入賞口ＬＥＤ基板２１ｆ（図１０参照）に取り付けられ、飾りレンズによって被覆されている。さらに、右下入賞口２２は、始動口（普通電動役物）１７の略斜め右下側に配設されて、内部に右下入賞口通過検出スイッチ２２ｓ（図９参照）が設けられている。そして、この右下入賞口２２の下方には複数個の右下入賞口ＬＥＤ２２４が右下入賞口ＬＥＤ基板２２ｆ（図１０参照）に取り付けられ、飾りレンズによって被覆されている。
【０１１２】
下部装置１８の左右斜め上方には、左入賞口１９及び右入賞口２０がそれぞれ配設されている。そして、その内部にはそれぞれ、左入賞口通過検出スイッチ１９ｓ（図１０参照）、右入賞口通過検出スイッチ２０ｓ（図１０参照）が設けられている。また、中央装置２６の左右斜め上方には、一対のランプ風車２４、２５がそれぞれ配設されている。さらに、遊技領域１１の左右両端部には、一対のサイドランプ３８、３９がそれぞれ縦円弧状で相対称状に配設されている。
【０１１３】
これらの障害釘２３は、以上説明した各遊技装置との位置バランスを考慮して、遊技領域１１にパチンコ遊技に適するべく、配設されている。また、遊技領域の最下部にはアウト口４８が設けられている。尚、アウト口４８の下部にはバック球防止部材５８が設けられており、遊技領域１１に到達せず戻ってきた遊技球が再び発射位置に戻ることを防止している。一方、ファール球防止部材５９は、内レール１５の先端部に取り付けられ、返しゴム６０は、ファール球防止部材５９の位置とは略正反対側の、遊技盤１０の右半分側の位置であって、外レール１４に沿って嵌合状に取り付けられている。尚、本遊技機１では、図１に示すように、上皿部５の前面における左端側の部位に操作ボタンＢ１、Ｂ２を配設している。この操作ボタンＢ１、Ｂ２は、液晶表示装置２７の表示画面２７１で行われる表示に変更を加えるためのものである。
【０１１４】
ｃ．遊技機の裏面構造
次に、本遊技機１の裏面構造について図９を参照して説明する。
【０１１５】
ガラス扉枠４（図１）は中枠３にあって、ガラス扉枠４の上下端の位置に設けられた一対のヒンジ１０１により、開閉可能に支持されている。また、裏機構盤１０２は中枠３にあって裏機構盤１０２の上下端の位置に設けられた一対のヒンジ１０３により、開閉可能に支持されている。更に、遊技盤１０は中枠３の表面側に着脱可能に取り付けられている。また、上端側にあるヒンジ１０１の配設位置からみて左側には、タンク球切れ検出スイッチ１０４をタンク底部に備えた賞球タンク１０５と、この賞球タンク１０５に接続されるタンクレール１０６とが取り付けられている。更に、タンクレール１０６の右側には、球抜きレバー１０７が設けられ、その下流側には、補給球切れ検出スイッチ（図示を省略）が、さらに、その下流側には、裏側遊技装置としての賞球払出装置１０９が配設されている。
【０１１６】
また、遊技球の振り分け部（図示略）が賞球払出装置１０９の下流側に設けられている。タンクレール１０６の下側には、液晶表示装置２７（図８参照）を格納した蓋付きの裏ケース（図示ぜす）が設けられ、この裏ケースの下側には、後述する主制御部１４０（図１０参照）を構成する主制御基板を格納した主制御基板ケース１１２が配設されている。
【０１１７】
この主制御基板ケース１１２の背面下側には、発射装置制御部１９３（図１０参照）を構成する発射装置制御基板を格納した発射装置制御基板ケース１１３と、発射制御集合中継基板（図示略）と、が設けられている。また、裏機構盤１０２の左下方部には、上述した発射装置ユニット（図示略）が配設され、裏機構盤１０２の右下方部には、払出制御部１５０（図１０参照）を構成する払出制御基板を格納した払出制御基板ケース１１８が配設されている。更に、遊技機１の裏面側には、中継基板（図示を省略）が装着されている。
【０１１８】
この中継基板１９０は、入賞球検出スイッチ３１８，１９ｓ〜２２ｓ等と主制御部１４０とを中継するための基板とされている。尚、本実施例においては、主制御基板ケース１１２、中継基板１９０及び払出制御基板ケース１１８は、金属板（図示を省略）に着脱自在に装着され、この金属板は裏機構盤１０２に対して回動自在に懸架されている。
【０１１９】
一方、裏機構盤１０２の左下端部には、ヒューズボックス１１９、電源スイッチ１２０、電源ターミナル基板１２１及び大当り、発射装置制御、球切れ、扉開放、賞球、球貸し用等の遊技機枠用外部接続端子を備えた端子基板（図示略）が設けられている。また、外部からの電力の供給を受けるための電源ケーブル１２３も端子基板（図示略）の上側に配設されている。また、払出制御基板ケース１１８からは接続ケーブル１２４が上方へ延出し、電源ケーブル１２５を備えたプリペイドカードユニット１３に接続されている。更に、裏機構盤１０２の略中央下端部には、下皿部用球通路部材（図示略）が設けられている。尚、本実施例では、電源ターミナル基板１２１に対して、ラムクリア信号を発生させるためのラムクリアスイッチ１２１ａを接続しているが、このラムクリアスイッチ１２１ａの接続を省略したり、ラムクリアスイッチ１２１ａの接続個所を変更してもよい。
【０１２０】
ｄ．遊技機１の電子制御装置１３０
次に、本実施例の遊技機１の電子制御装置１３０について、図１０を参照して説明する。この電子制御装置１３０は、主制御部１４０と、複数の副制御部とを含んで構成されている。また、副制御部としては、主制御部１４０に直に接続された第１次副制御部（払出制御部１５０、音声・ランプ制御部１７０等）と、この第１次副制御部を介して主制御部１４０に接続された第２次副制御部（発射装置制御部１９３、図柄制御部１６０等）と、を備えている。尚、主制御部１４０と第１次副制御部とは信号伝送経路５００ａによって接続され、第１次副制御部及び第２次副制御部は信号伝送経路５００ｂによって接続されている。
【０１２１】
次に、各制御部間における「データ等」の伝送方式について述べる。即ち、主制御部１４０から、払出制御部１５０および音声・ランプ制御部１７０へは、一方向形式若しくは双方向形式でデータ等が伝送される。また、音声・ランプ制御部１７０から図柄制御部１６０へも一方向形式でデータが伝送されるものとして説明するが、音声・ランプ制御部１７０と図柄制御部１６０との間では双方向形式でデータを伝送することとしてもよい。尚、図１０に示した破線の矢印は、各制御部１４０ないし１８０への電源供給経路を表している。また、図示されているように、電源は先ず初めに電源受電基板４１０に供給され、電源ユニット４２０で所定電圧に変換された後、分電基板４３０から各制御部１４０ないし１８０に電力が供給される。更に、電源投入時には、後述するシステムリセット信号が全制御基板に送信される。
【０１２２】
ここで、主制御部１４０は、遊技の基本進行を司る制御部であり、当否判定の等、本遊技機１において重要な処理を実行する。また、主制御部１４０は、各種スイッチ（９ａ、９ｂ、９ｂ、１０４、１９２、１７ｓ、１９ｓ〜２２ｓ、３６ｓ、３７ｓ、３１８）等からの情報を受け取って所定の演算を行った後、払出制御部１５０や音声・ランプ制御部１７０に各種のコマンドを出力するとともに、各種の基板やソレノイド（１７ｃ、３１３、３７）などに駆動信号を出力する。
【０１２３】
尚、図示を省略するが、音声・ランプ制御部１７０は、スピーカー４００ａやランプ等の制御を主に行うための制御基板と、制御基板からの命令を受けて、ランプ等に駆動信号を出力するための駆動基板の、主に２つの基板から構成されている。また、図柄制御部１６０は、特別図柄制御基板によって主に構成されている。
【０１２４】
中継基板１９０には、入賞球検出スイッチ３１８，１９ｓ〜２２ｓ等が接続されている。また、払出用端子基板１９１には、タッチスイッチ９ａ、発射停止スイッチ９ｂ、ヴォリュームスイッチ１９２、タンク球切れ検出スイッチ１０４及び補給球切れ検出スイッチ１０８等が接続され、払出用端子基板１９１の出力端子は、払出制御部１５０の入出力回路部に接続されている。
【０１２５】
以上の電子制御装置１３０においては、遊技球が始動口１７に入球すると、その情報が始動口入賞検出スイッチ１７ｓによって検出されて、主制御部１４０に入力される。また、遊技球が普通図柄作動左ゲート３６あるいは普通図柄作動右ゲート３７を通過すると、その情報が普通図柄作動口通過検出器３６ｓ，３７ｓにより検出されて、主制御部１４０に入力される。更に、入賞球検出スイッチ１９ｓ〜２２ｓ，３１８で遊技球の入球が検出されると、その情報は、中継基板１９０を介して主制御部１４０に入力される。
【０１２６】
（２）施錠装置の構造
施錠装置７００は、図１１〜図１３を用いて示されるように、支持体７１０と、第１の可動鉤部材７２０と、第２の可動鉤部材７２１と、ガラス扉枠施錠部材７５０と、錠操作伝達部材７６０Ａと、受皿扉部材施錠部材７８０と、錠部材８００（図２３を参照）と、を備えている。尚、図１１〜図１３においては、錠部材８００の図示を省略している。
【０１２７】
支持体７１０は、施錠装置７００の外郭を構成する部材であり、図１４に示すように、長尺な金属板を、横断面が略Ｌ字状になるように折り曲げて構成されるものである。この支持体７１０の上下方向幅（長手幅）は、中枠３の上下方向幅と略等しくされている。そして、この支持体７１０は、上下方向に長尺な板状体を用いて構成される取付代部７１１と、取付代部７１１の左端縁から後方に突出する支持本体部７１５と、を備えている。尚、図１４中の「ＹＰ」は遊技者を示している。また、図１２〜図２０、図３５、図３７、図３８に記す「右」、「左」の方向は、遊技者を基準とする方向（遊技者から見た方向）である。また、図１３、図１５〜図２０、図３５、図３７、図３８は、遊技機１の後方から目視した状態の概略的な縦断面図である。
【０１２８】
取付代部７１１の前面部７１１ａは、図１４に示すように、支持体７１０を中枠３に固定する際に、中枠３の裏面部（後面部）に当接する部分である。また、図１２、図１５〜図１８に示すように、この取付代部７１１の左側縁部において、上下方向に沿った中間部から上端側に至る部位が、取付代部７１１の右側縁部側に凹む、凹部７１１ｂとされている。つまり、この支持体７１０の横幅（短手幅）は、この凹部７１１ｂにおいて、「くびれ」状に狭くされている。
【０１２９】
取付代部７１１の右側縁部は、上下に向かう略直線の経路を描くが、取付代部７１１の左側縁部は、中間部から上端側に至る部位に、略等脚台形状（上底を右側方に向け、下底を左側方に向けた略等脚台形状）の凹部７１１ｂを備える状態で上下に向かう経路線を描いている。具体的には、取付代部７１１の左側縁部は、凹部７１１ｂよりも上方の部位（以下、「第１領域部」という。）ａ１と下方の部位（以下、「第５領域部」という。）ａ５と、を上下に向かう略直線状としている。また、凹部７１１ｂは、上方に配置されて右下り傾斜の直線状の部位（以下、「第３領域部」という。）ａ２と、下方に配置されて左下り傾斜の直線状の部位（以下、「第４領域部」という。）ａ４と、第２領域部ａ２及び第３領域部ａ３の間に位置し、上下に向かう略直線状とされた部位（以下、「第３領域部」という。）ａ３と、を備えている。
【０１３０】
取付代部７１１の左側縁部寄りに位置すると共に取付代部７１１の上端部側に位置する部位（凹部７１１ｂよりも上方する部位）には、第１の貫通孔７１１ｃが設けられ、取付代部７１１の左側縁部寄りに位置すると共に凹部７１１ｂよりも下方には、第２の貫通孔７１１ｄが設けられている（図１２を参照）。これらの貫通孔７１１ｃ、７１１ｄは、何れも、取付代部７１１の前面部７１１ａと、後面部７１１ｂとを貫通する状態に設けられると共に、上下に長尺な矩形孔によって構成されている。
【０１３１】
図１２及び図１３に示すように、取付代部７１１において、第２の貫通孔７１１ｄよりも下方の部位には、取付孔７１１ｆが形成されている。この取付孔７１１ｆは、後述する錠部材８００を支持体７１０に取り付けられるために使用され、取付代部７１１の前面部７１１ａと、後面部７１１ｂとを貫通する状態に設けられている。また、図１３に示すように、取付代部７１１の後面部７１１Ｂであって、取付孔７１１ｆよりも上方の部位（第５領域部ａ５に属する部位である。）からは、バネ係止部７１１ｇが突出している（図２３を参照）。
【０１３２】
支持本体部７１５は、図１３、図１５〜図１８に示すように、長尺状の金属板の上端部側と、上下方向に沿った中間部と、に屈曲部を設けた構成を備えており、前方から見た経路線が、取付代部７１１の左側縁部の経路線に沿った形状とされている。つまり、支持本体部７１５を、その左側方から観察すると、上下方向に沿った中間部から上端側に至る部位が、凹部７１５ｃ（凹部７１１ｂに対応する凹部７１５ｃ）として認識され、支持本体部７１５を、その右側方から観察すると、上下方向に沿った中間部から上端側に至る部位が、凸部（凹部７１５ｃと凹凸が反転した凸部）として認識される。
【０１３３】
この支持本体部７１５も、取付代部７１１と同様に、凹部７１５ｃ（凸部７１５ｄ、凹部７１１ｂであっても同様）よりも上方の部位（以下、「第１領域部」という。）ｂ１と下方の部位（以下、「第５領域部」という。）ｂ５と、を上下に向かう略直線状としている。また、凹部７１５ｃ（凸部７１５ｄ）は、上方に配置されて右下り傾斜の直線状の部位（以下、「第２領域部」という。）ｂ２と、下方に配置されて左下り傾斜の直線状の部位（以下、「第４領域部」という。）ｂ４と、第２領域部ｂ２及び第４領域部ｂ４の間に位置し、上下に向かう略直線状とされた部位（以下、「第３領域部」という。）ｂ３と、を備えている。尚、「第１領域部ｂ１及び第１領域部ａ１」、「第２領域部ｂ２及び第２領域部ａ２」「第３領域部ｂ３及び第３領域部ａ３」、「第４領域部ｂ４及び第２領域部ａ４」、「第５領域部ｂ５及び第５領域部ａ５」は、各々、前後に位置合わせ可能とされている。
【０１３４】
図１１に示すように、第１領域部ｂ１の上端側の後端面と、第５領域部ｂ５の下端側の後端面とからは、把持部７１５ｅ、７１５ｅが後方に向かって突出している。これらのうちで、上方に配置される把持部７１５ｅは、「第１の可動鉤部材７２０」を回動可能に支持しつつ、この「第１の可動鉤部材７２０」と協働して、上方に配置される「中枠施錠用被係合部Ｌ３」を把持する。また、下方に配置される把持部７１５ｅは、「第２の可動鉤部材７２１」を回動可能に支持しつつ、この「第２の可動鉤部材７２１」と協働して、下方に配置される「中枠施錠用被係合部Ｌ３」を把持する。
【０１３５】
両把持部７１５ｅは、側方から観察すると、略コの字形型の略板状体として認識されるものであり、左右両側面を貫通し、後端部で開口する切り欠き部７１５ｆを備えている。この把持部７１５ｅにおいて切り欠き部７１５ｆの後端部側に対応する部位（以下、入口部」という。）７１５ｇは、切り欠き部７１５ｆの空間幅（上下方向に沿った空間幅）を、より後方に向かうに従って広くしたテーパ状としている。また、把持部７１５ｅにおいて切り欠き部７１５ｆの前後方向中間部に対応する部位（以下、「把持本体部」という。）７１５ｈは、空間幅（上下方向に沿った空間幅）を、「中枠施錠用被係合部Ｌ３」の上下幅と等しくしている。更に、把持部７１５ｅにおいて切り欠き部７１５ｆの前端部側に対応する部位（以下、「奥端部」）７１５ｉは、空間幅（上下方向に沿った空間幅）を、把持本体部７１５ｈの空間幅よりも段差状に小さくしている。
【０１３６】
奥端部７１５ｉの右側面部のうちで、切り欠き部７１５ｆの下縁部に相当する部位からは、規制片７１５ｋが突出している。この規制片７１５ｋは、平面形状が略矩形で、把持部７１５ｅの右側方に突出する小片によって構成されている｛図２９（ｂ）を参照｝。
【０１３７】
図１１、図１５及び図１６に示すように、支持本体部７１５の「第５領域部」ｂ５の上下方向中間部に位置する部位であって、取付孔７１１ｆの後方に位置する部位には、第１の操作孔７１５ｍと、第２の操作孔７１５ｎとが設けられている。これらの操作孔７１５ｍ、７１５ｎは、何れも、支持本体部７１５の左右の側面部を貫通する状態に設けられると共に、上下に長い矩形の開口形状を備える。そして、これらの操作孔７１５ｍ、７１５ｎは、以下のような位置関係にある。
【０１３８】
つまり、上下方向に沿った位置は、第１の操作孔７１５ｍの方が第２の操作孔７１５ｎよりも高くされ、前後方向に沿った位置は、第１の操作孔７１５ｍの方が第２の操作孔７１５ｎよりも前方とされている。そして、第１の操作孔７１５ｍの上下方向に沿った中心部と、第２の操作孔７１５ｎの上下方向に沿った中心部と、の間に、取付孔７１１ｆの中心部が位置している。
【０１３９】
第１の可動鉤部材７２０及び第２の可動鉤部材７２１は、「中枠施錠部」の具体例を構成する部材であると共に、「中枠施錠用係合部」の具体例を構成する略鉤形状（フック形状）の部位を備える。また、前後方向中間部に位置する回動支点部７２２を、対応する把持部７１５ｅに支持されて回動可能とされている。つまり、図２９〜図３１に示すように、各把持部７１５ｅの右側面部であって、切り欠き部７１５ｆの前方に位置する部位には、支持ピン７２３が右側方に突出し、各把持部７１５ｅに対しては回転不可能な状態（固定状態）」で装着されている。そして、第１の可動鉤部材７２０の回動支点部７２２は、上方の把持部７１５ｅの支持ピン７２３を用いて回動可能に支持され、第２の可動鉤部材７２１の回動支点部７２２は、下方の把持部７１５ｅの支持ピン７２３を用いて回動可能に支持されている。
【０１４０】
両可動鉤部材７２０、７２１の回動支点部７２２よりも後方には、係合本体部７２５と、導入部７２６とが、この順に設けられている。このうち、両可動鉤部材７２０、７２１のより後方に位置する導入部７２６では、その上端面が後端部（可動鉤部材７２０、７２１の後端部）に向かうに従って下り傾斜となる「下り傾斜面」としている。また、回動支点部７２２及び導入部７２６の中間に位置する係合本体部７２５は、回動支点部７２２及び導入部７２６に比べて凹んだ、係合用凹部７２５ａを用いて構成されている。
【０１４１】
両可動鉤部材７２０、７２１の前端部側には、右側方に突出する状態の操作ピン７２７が装着されている。更に、両可動鉤部材７２０、７２１の上端面のうちで、回動支点部７２２と、操作ピン７２７との間の部位には、バネ係止部７２８が設けられている。このバネ係止部７２８は、左右に貫通する係止孔を備える板状片によって構成されている。
【０１４２】
各可動鉤部材７２０、７２１が、対応する把持部７１５ｅに装着されると、この可動鉤部材７２０は回動支点部７２２を中心として回動可能とされる。ところが、可動鉤部材７２０、７２１を、「右側方から見て時計回転方向」に回転させた（図２２及び図２３を参照）後に、可動鉤部材７２０、７２１を、「右側方から見て反時計回転方向」に戻す場合、係合用凹部７２５ａの上端面（以下、「下部挟持面」という。）７２５ｂと、「上方の把持部７１５ｅにおいて、切り欠き部７１５ｆの上縁部に接する端面（以下、「上部挟持面」という。）７１５ｓ」とが略平行な状態（以下、「施錠実行状態」という。）となると、下部挟持面７２５ｂが、規制片７１５ｋの下面に当接する。このため、可動鉤部材７２０は、それ以上、回転すること（右側方から見て反時計回転方向への回転量を更に増加すること）ができなくなる。尚、この係合用凹部７２５ａによって、「中枠施錠用係合部」の具体例を構成する。
【０１４３】
施錠実行状態にある「各可動鉤部材７２０、７２１」を、図２９及び図３０に示すように、「右側方から見て時計回転方向」に回転させると、下部挟持面７２５ｂが、この方向に回転するため、下部挟持面７２５ｂの後端側の部位と、上部挟持面７１５ｓの後端側の部位との間隔が拡大した状態（以下、「解錠状態」という。）となる。但し、第１の可動鉤部材７２０のバネ係止部７２８と、後述する「ガラス扉枠施錠部材７５０」のバネ係止部７５８との間には、第２のコイルバネＢ２が装着され、第１の可動鉤部材７２０には、第１の可動鉤部材７２０を「施錠実行状態」に戻すような付勢力が負荷されている。また、第２の可動鉤部材７２１のバネ係止部７２８と、後述する「受皿扉部材施錠部材７８０のバネ係止部７８２ｃが設けられ、このバネ係止部７８２ｃと、その上方に位置する「第２の可動鉤部」との間にも、第３のコイルバネＢ３が装着され、第２の可動鉤部材７２１には、第２の可動鉤部材７２０を「施錠実行状態」に戻すような付勢力が負荷されている。尚、図１１、図２１及び図３２においては、対応するコイルバネＢ２、Ｂ３の図示を省略している。
【０１４４】
ガラス扉枠施錠部材７５０は、「ガラス枠施錠部」を構成する部材であり、図１３に示すように、支持本体部７１５の右側面部７１５Ｒに対して摺動可能な状態で、支持本体部７１５に装着されている。尚、支持本体部７１５の右側面部７１５Ｒは、支持本体部７１５の表面部の具体例を構成している。
【０１４５】
このガラス扉枠施錠部材７５０は、図１１〜図１３に示すように、長尺状の金属板（つまり、略帯板状の金属板）を用いて構成される可動片部７５１と、可動片部７５１の前端面における上端側部位及び下端側部位から、前方に向かって突出する「第１の係合用フック部７５６」と、を備える。尚、可動片部７５１は、図１５に示すように、その左側面部（可動片部の裏面部の具体例を構成）７５１Ｌの一部を、支持本体部７１５の右側面部（表面部の具体例を構成）７１５Ｒとの摺動部としている。また、「第１の係合用フック部７５６」は、前述の「ガラス扉枠施錠用係合部Ｋ１」の具体例を構成する部分である。
【０１４６】
可動片部７５１は、図１３、図１５〜図１７に示すように、「支持本体部７１５の右側のうちで、第１領域部ｂ１〜第４領域部ｂ４と、第５領域部ｂ５の上端部側の部位」の右側方において、支持本体部７１５の右側面部（表面部）７１５Ｒに対して摺動可能な状態に配置されるものである。この可動片部７５１も、支持本体部７１５と同様な形状を備えている。つまり、この可動片部７５１も、長尺状の金属板の上端部側と、上下方向に沿った中間部と、に屈曲部を設けた構成を備えており、前方から見た経路線が、取付代部７１１の左側縁部の経路線に沿った形状とされている。つまり、可動片部７５１も、その左側方から観察すると、上下方向に沿った中間部から上端側に至る部位が、凹部７５１ｃとして認識され、可動片部７５１を、その右側方から観察すると、上下方向に沿った中間部から上端側に至る部位が、凸部として認識される。
【０１４７】
この可動片部７５１も、凹部７５１ｃよりも上方の部位（以下、「第１領域部」という。）ｃ１と下方の部位（以下、「第５領域部」という。）ｃ５と、を上下に向かう略直線状としている。また、凹部７５１ｃは、上方に配置されて右下り傾斜の直線状の部位（以下、「第２領域部」という。）ｃ２と、下方に配置されて左下り傾斜の直線状の部位（以下、「第４領域部」という。）ｃ４と、第２領域部ｃ２及び第４領域部ｃ４の間に位置し、上下に向かう略直線状とされた部位（以下、「第３領域部」という。）ｃ３と、を備えている。但し、凹部７５１ｃの横幅（上下方向に沿った幅）は、凹部７１５ｃの横幅（上下方向に沿った幅）よりも大きくされている。
【０１４８】
図１７等に示すように、可動片部７５１において、その第２領域部ｃ２の下半部から、第３領域部ｃ３の上端部に至る部位には、伝達孔７５２が設けられている。この伝達孔７５２は、可動片部７５１の右側面部（表面部）７５１Ｒと、左側面部（裏面部）７５１Ｌとを貫通する貫通する状態に設けられると共に、上下の長尺状とされている。そして、可動片部７５１において、伝達孔７５２の下縁部を構成する部位（伝達孔７５２の下縁部を形作る部位）が、「被押圧部７５２ｂ」の具体例を構成する。
【０１４９】
また、図１７等に示すように、第１領域部ｃ１及び第５領域部ｃ５には、略長円状の支持孔７５３ａ、７５３ｂが設けられている。これらの支持孔７５３ａ、７５３ｂは、可動片部７５１を肉厚方向（左右方向）に貫通する状態に形成されると共に、長手方向を上下方向に向けている。そして、可動片部７５１は、これらの支持孔７５３ａ、７５３ｂと、支持ピンＰ、Ｐとを用いて、支持本体部７１５の右側面部７１５Ｒに対して摺動可能な状態に装着されている。
【０１５０】
つまり、両支持ピンＰ、Ｐは、支持孔７５３ａ、７５３ｂに対して遊入可能な軸部Ｐ１と、軸部Ｐ１の一端部に装着され、支持孔７５３ａ、７５３ｂの短手幅よりも、大きな直径を備えるフランジ部Ｐ２とを備える。そして、一方の支持ピンＰの軸部Ｐ１を、その他端部の側から上方の支持孔７５３ａに挿通し、この他端部を、「支持本体部７１５の第１領域部ｂ１における下端側の部位」に、「カシメ」を用いて固定する。また、他方の支持ピンＰの軸部Ｐ１を、その他端部の側から下方の支持孔７５３ａに挿通し、この他端部を、「支持本体部７１５の第５領域部ｂ５における上側の部位」に、「カシメ」を用いて固定する。
【０１５１】
これにより、可動片部７５１は、支持本体部７１５の右側面部に対して摺動可能とされているが、各支持孔７５３ａ、７５３ｂの内壁面の上端部が、対応する支持ピンＰ、Ｐの軸部Ｐ１に当接すると、可動片部７５１の動作位置は上限位置となり、各支持孔７５３ａ、７５３ｂの内壁面の下端部が、対応する支持ピンＰ、Ｐの軸部Ｐ１に当接すると、可動片部７５１の動作位置は下限位置となる。つまり、この可動片部７５１は、この上限位置と、下限位置との間を上下に摺動可能とされている。
【０１５２】
この可動片部７５１においては、「第１領域部ｂ１及び第１領域部ｃ１」、「第５領域部ｂ５及び第５領域部ｃ５」は、各々、左右に位置合わせ可能とされている。但し、可動片部７５１の動作位置が上限位置にあるときには、第２領域部ｃ２は、第１領域部ｂ１の右側方に位置し、第４領域部ｃ４は、第４領域部ｂ４の右側方に位置する。一方、可動片部７５１の動作位置が下限位置にあるときには、第２領域部ｃ２は、第２領域部ｂ２の右側方に位置し、第４領域部ｃ４は、第３領域部ｂ３の右側方に位置する。
【０１５３】
尚、図３１（ｂ）に示すように、可動片部７５１の後端面うちで上端側の部位には、前述のバネ係止部７５９が設けられ、このバネ係止部７５９と、その上方に位置する「第１の可動鉤部材７２０のバネ係止部７２８」との間には、第２のコイルバネＢ２が装着され、可動片部７５１には、上方に向かう付勢力が負荷されている。このため、通常において（可動片部７５１に外力が負荷されない場合において）、可動片部７５１の動作位置が上限位置とされ、可動片部７５１を第２のコイルバネＢ２の付勢力に対抗して下方に引き下げると、可動片部７５１の動作位置が下限位置の方向に向かって変化するものとされている。
【０１５４】
第１の係合用フック部７５６は、前述のように、「ガラス扉枠施錠用係合部」の具体例を構成するものであり、図３３に示すように、可動片部７５１と一体で上下動する。この第１の係合用フック部７５６も、係合本体部７５６ａと、導入部７５６ｂとを、前方から後方に、この順で備えている。このうち、より後方に位置する導入部７５６ｂでは、その上端面が後端部（第１の係合用フック部７５６の後端部）に向かうに従って下り傾斜となる「下り傾斜面」としている。また、導入部７５６ｂよりも前方に位置する係合本体部７５６ａは、導入部７５６ｂに比べて凹んだ、係合用凹部７５６ｃを用いて構成されている。
【０１５５】
図１１及び図１２に示すように、上方の第１の係合用フック部７５６は、第１の貫通孔７１１ｃに遊入状態で挿通されて取付代部７１１の前方に突出し、下方の第１の係合用フック部７５６は、第２の貫通孔７１１ｄに遊入状態で挿通されて取付代部７１１の前方に突出している。また、上方の「第１の係合用フック部７５６」の上下方向に沿った幅は、第１の貫通孔７１１ｃの上下方向に沿った幅よりも小さくされ、下方の「第１の係合用フック部７５６」の上下方向に沿った幅は、第２の貫通孔７１１ｄの上下方向に沿った幅よりも小さくされている。このため、可動片部７５１が上限位置のから下限位置に移動すると、両第１の係合用フック部７５６も、その下限位置に移動し、可動片部７５１が下限位置から上限位置に移動すると、両第１の係合用フック部７５６も、その上限位置に移動するものとされている。
【０１５６】
錠操作伝達部材７６０Ａは、図１３に示すように、「錠操作伝達部」の具体例を構成する部材であり、略帯板状の金属板を用いて構成されている、また、この錠操作伝達部材７６０Ａは、第１の伝達部材７６０と、第２の伝達部材７７０と、を上下に連結して構成されている。この錠操作伝達部材７６０Ａは、左側面部（裏面部）７６０Ｌの一部を、可動片部７５１の右側面部（表面部）７５１Ｒとの摺動部として、支持本体部７１５の右方向に配置されている。つまり、錠操作伝達部材７６０は、可動片部７５１を間に挟んだ状態で、支持本体部７１５に右側方で、支持本体部７１５によって支持されている。
【０１５７】
第１の伝達部材７６０は、錠操作伝達部材７６０Ａの上半側を構成する部分であり、長尺状の金属板を用いて構成されている。この第１の伝達部材７６０は、ガラス扉枠施錠部材７５０の右側のうちで、第１領域部ｃ１〜第４領域部ｃ４と、第５領域部ｃ５の上端部寄りの部位（上端部寄りの僅かな部位）」の右側方に配置されるものである。
【０１５８】
この第１の伝達部材７６０も、ガラス扉枠施錠部材７５０と同様な形状を備えている。つまり、この第１の伝達部材７６０も、図１３、図１５〜図１７に示すように、長尺状の金属板の上端部側と、上下方向に沿った中間部と、に屈曲部を設けた構成を備えており、前方から見た経路線が、取付代部７１１の左側縁部の経路線に沿った形状とされている。つまり、第１の伝達部材７６０も、その左側方から観察すると、上下方向に沿った中間部から上端側に至る部位が、凹部７６１ｃとして認識され、第１の伝達部材７６０を、その右側方から観察すると、上下方向に沿った中間部から上端側に至る部位が、凸部７６１ｄとして認識される。但し、凹部７６１ｃの横幅（上下方向に沿った幅）は、凹部７５１ｃの横幅（上下方向に沿った幅）よりも大きくされている。
【０１５９】
この「第１の伝達部材７６０」も、凹部７６１ｃよりも上方の部位（以下、「第１領域部」という。）ｄ１と下方の部位（以下、「第５領域部」という。）ｄ５と、を上下に向かう略直線状としている。また、凹部７６１ｃは、上方に配置されて右下り傾斜の直線状の部位（以下、「第２領域部」という。）ｄ２と、下方に配置されて左下り傾斜の直線状の部位（以下、「第４領域部」という。）ｄ４と、第２領域部ｄ２及び第４領域部ｄ４の間に位置し、上下に向かう略直線状とされた部位（以下、「第３領域部」という。）ｄ３と、を備えている。
【０１６０】
この第２領域部ｄ２は、図１８及び図１９に示すように、「防護部」の具体例を構成している。つまり、この第２領域部ｄ２は、支持本体部７１５（支持本体部７１５の右側面部７１５Ｒ）から離間する方向に向かって下り傾斜状となる傾斜部とされ、この傾斜部によって防護部が構成されている。
【０１６１】
図１１及び図１７に示すように、第１の伝達部材７６０の上端部寄り（第１領域部ｄ１の上端部寄り）には、略矩形状の切り欠き部７６２が設けられている。この切り欠き部７６２は、第１の伝達部材７６０の左右両側面と、前端面とで開口するものであり、上下方向に沿った幅が、「第１の可動鉤部材７２０に装着された操作ピン７２７の軸部」の直径の４〜６倍の大きさとされている。そして、第１の伝達部材７６０において、切り欠き部７６２の下縁部を構成する部位（以下、「上部操作部位」という。）７６２ｂは、第１の可動鉤部材７２０（操作ピン７２７）に当接し、第１の伝達部材７６０に負荷された操作力を、第１の可動鉤部材７２０（操作ピン７２７）に伝達する部位である。この「上部操作部位７６２ｂは、後述する「下部操作部位７７３ｂ」と共に、請求項２の発明の「錠操作伝達部の中枠解錠用押圧部」の具体例を構成する。また、第１の可動鉤部材７２０の操作ピン７２７と、第２の可動鉤部材７２１の操作ピン７２７は、請求項２の発明の「中枠施錠部の被押圧部」の具体例を構成する。
【０１６２】
図１７に示すように、第１領域部ｄ１において、切り欠き部７６２の下方の位置には、略長円状の支持孔７６３ａが設けられている。この支持孔７６３ａは、第１の伝達部材７６０を肉厚方向（左右方向）に貫通する状態に形成されると共に、長手方向を上下方向に向けている。この支持孔７６３ａの長手方向に沿った幅（上下方向幅）は、ガラス扉枠施錠部材７５０の上端側に設けられた支持孔７５３ａの長手方向に沿った幅（上下方向幅）よりも大きく（例えば、約２倍）とされている。
【０１６３】
図１８に示すように、第３領域部ｄ３の上端部側には、押圧用突起部７６５が設けられている。この押圧用突起部７６５は、第１の伝達部材７６０の左側面部（裏面部）７６０Ｌから、「支持本体部７１５（支持本体部７１５の右側面部７１５Ｒ）」の方向に向かって突出している。そして、この押圧用突起部７６５の全体が、第２領域部ｄ２の裏面部（第１の伝達部材７６０の左側面部７６０Ｌの一部によって構成される。）ｄｕの下方に配置されている。つまり、本実施例においては、施錠装置７００の上方から、押圧用突起部７６５を目視しようとしても、第２領域部ｄ２（防護部）に遮られ、押圧用突起部７６５を目視することはできないようにされている。
【０１６４】
このため、図１８に示すように、本施錠装置７００の上方から、押圧用突起部７６５に対して、不正部材Ｆの先端部Ｆ１を侵入・到達させようとしても、この「不正部材Ｆの先端部Ｆ１」の侵入経路が、第２領域部ｄ２（防護部）によって遮られる。よって、本実施例によると、第２領域部ｄ２（防護部）等を用いて、「この不正部材Ｆの先端部Ｆ１を用いた不正行為」の防止を図ることができる。
【０１６５】
この押圧用突起部７６５は、図１８に示すように、伝達孔７５２に挿通されているが、伝達孔７５２の上下方向に沿った幅は、押圧用突起部７６５の上下方向に沿った幅よりも大きく（例えば、６〜１０倍）されている。この押圧用突起部７６５は、通常時（錠部材８００に操作が加えられていないとき）において、「被押圧部７５２ｂ」に対して、その上方から当接する状態とされる。そして、図１９に示すように、第１の伝達部材７６０が、下方に動作すると（錠操作伝達部材７６０Ａが、下方に動作すると）、押圧用突起部７６５が「被押圧部７５２ｂ」を下方に押圧する。また、図１８に示すように、第１の伝達部材７６０が、上方に動作すると（錠操作伝達部材７６０Ａが、上方に動作すると）、押圧用突起部７６５が、伝達孔７５２内を上方に移動する。
【０１６６】
図１７に示すように、第３領域部ｄ３の下端部（第１の伝達部材７６０の下端部）からは、連結用突起７６６が、右側方に向かって突出している。
【０１６７】
この「第１の伝達部材７６０」は、可動片部７５１の右側方において、以下のように配置されている。つまり、第２領域部ｄ２の裏面部（防護部の下面部）を、可動片部７５１の表面部に当接させ、切り欠き部７６２に操作ピン７２７の軸部を挿通させている。このとき、上部操作部位７６２ｂを、操作ピン７２７の軸部に対して、その下方から当接させている。そして、操作ピン７２７の上方には、空間部（切り欠き部７６２において、操作ピン７２７の上方に位置する部位によって構成される空間部）が形成され、操作ピン７２７は、この空間内を上方に向かって移動可能とされている。
【０１６８】
また、支持孔７６３ａを、支持孔７５３ａに対して左右方向に位置合わせし、前述の「支持ピン７２３」の軸部を、前述の支持孔７５３ａと共に支持孔７６３ａにも挿入している。このため、第１の伝達部材７６０は、支持ピン７２３に支持されつつ、ガラス扉枠施錠部材７５０の右側面部を摺動可能とされている。また、支持孔７６３ａの上下方向に沿った中間部が、支持孔７５３ａの下端部と位置合わせされている。
【０１６９】
更に、押圧用突起部７６５を伝達孔７５２に挿通している。この際、押圧用突起部７６５が、「被押圧部７５２ｂ」に当接している。そして、第１の伝達部材７６０を上方に引き上げると、上部操作部位７６２ｂが操作ピン７２７を押し上げるため、第１の可動鉤部材７２０は、回動支点部７７２を中心に回転して（右側方から見て、時計回りに回転して）、解錠状態となる。一方、第１の伝達部材７６０を押し下げると、第３領域部ｄ３が、ガラス扉枠施錠部材７５０の第３領域部ｃ３を下方に押し下げるため、ガラス扉枠施錠部材７５０も下方に移動する。
【０１７０】
但し、ガラス扉枠施錠部材７５０を下方に押し下げても、第１の伝達部材７６０は、下方には移動しない。蓋し、伝達孔７５２が、押圧用突起部７６５の上方の位置に空き空間部を設けている。よって、ガラス扉枠施錠部材７５０を単独で下方に押し下げても、押圧用突起部７６５は、この空き空間内を下方に移動するため、伝達孔７５２から第１の伝達部材７６０に操作力が伝達されないからである。
【０１７１】
また、第１の伝達部材７６０を上方に引き上げても、ガラス扉枠施錠部材７５０は上方に移動しない。蓋し、伝達孔７５２が、押圧用突起部７６５の上方の位置に空き空間部を設けると共に、支持孔７６３ａが支持ピン７２３の下方の位置に空き空間部を設けている。そして、第１の伝達部材７６０を単独で上方に引き上げると、ガラス扉枠施錠部材７５０は、「伝達孔７５２における押圧用突起部７６５の上方の位置の空き空間部」と、「支持孔７６３ａにおける支持ピン７２３の下方の位置を空き空間部」と、を狭くするように上昇するだけである。つまり、第１の伝達部材７６０から、伝達孔７５２、ひいては、ガラス扉枠施錠部材７５０への操作力の負荷はなされないからである。
【０１７２】
尚、第１の伝達部材７６０には、通常時（操作力が負荷されないときに）おいて、「第２のコイルバネＢ２の付勢力」が、ガラス扉枠施錠部材７５０の伝達孔７５２を介して伝達される｛図３１（ｂ）を参照｝。つまり、第２のコイルバネＢ２の「ガラス扉枠施錠部材７５０を引き上げる付勢力」は、伝達孔７５２、押圧用突起部７６５に伝達され、第１の伝達部材７６０を、上方に引き上げる。
【０１７３】
第２の伝達部材７７０は、錠操作伝達部材７６０Ａの下半側を構成する部分である。そして、図１３に示すように、ガラス扉枠施錠部材７５０の右側面部（表面部）７５０Ｒ、及び、支持本体部７１５の右側面部（表面部）７１５Ｒに対して摺動可能な状態で、支持本体部７１５の第５領域部ｂ５の右方向に配置されている。この第２の伝達部材７７０も、長尺状の金属板を用いて構成されている。
【０１７４】
この第２の伝達部材７７０は、図１５〜図１８に示すように、右側方から観察すると、上下方向に沿った中間部（以下、「第３の部位」という。）ｗ３を、最も、左側方に凹む略平板状に構成されている。そして、この第３の部位ｗ３の上方には、第３の部位ｗ３に対して、ガラス扉枠施錠部材７５０の肉厚に相当する分だけ、右側方に隆起する略平板状の「第２の部位」ｗ２が設けられている。更に、この第２の部位ｗ２の上方には、第２の部位ｗ２に対して、第１の伝達部材７６０の肉厚に相当する分だけ、右側方に隆起する略平板状の「第１の部位」ｗ１が設けられている。更に、第３の部位ｗ３の下方には、第３の部位ｗ３に対して、ガラス扉枠施錠部材７５０の肉厚に相当する分だけ、右側方に隆起する略平板状の「第４の部位」ｗ４が設けられている。
【０１７５】
図１５等に示すように、第１の部位ｗ１の上端部側には、前述の連結用突起７６６を挿入な連結用切り欠き部７７１が形成されている。この連結用切り欠き部７７１は、第１の部位ｗ１の左右両側面部と、前端面部で開口する、横長の略矩形状に構成されている。また、図１７に示すように、第２の部位ｗ２には、支持孔７７２が上下に長円状に設けられている。この支持孔７７２は、第２の部位ｗ２を肉厚方向（左右方向）に貫通する状態に形成されると共に、長手方向を上下方向に向けている。そして、この支持孔７７２の長手方向に沿った幅（上下方向幅）は、ガラス扉枠施錠部材７５０の下端側に設けられた支持孔７５３ｂの長手方向に沿った幅（上下方向幅）よりも大きく（例えば、約２倍）とされている。
【０１７６】
図２０及び図２１に示すように、第４の部位ｗ４（第２の伝達部材７７０）の下端部寄りには、略矩形状の切り欠き部７７３が設けられている。この切り欠き部７７３は、第４の部位ｗ４（第２の伝達部材７７０）の可動体７６０の左右両側面と、前端面とで開口するものであり、上下方向に沿った幅が、「第２の可動鉤部材７２１に装着された操作ピン７２７の軸部」の直径の４〜６倍の大きさとされている。そして、第２の伝達部材７７０において、切り欠き部７７３の下縁部を構成する部位（以下、「下部操作部位」という。）７７３ｂは、第２の可動鉤部材７２１（操作ピン７２７）に当接し、第２の伝達部材７７０に負荷された操作力を、第２の可動鉤部材７２１（操作ピン７２７）に伝達する部位である。
【０１７７】
図１１及び図２１に示すように、第３の部位ｗ３の上端部側には、挿通用切り欠き部７７５が設けられ、第３の部位ｗ３の下端部側には挿通孔７７６が設けられている。このうち、挿通用切り欠き部７７５は、その内部空間によって「挿通用空間部７７５ａ」の具体例を構成する。この挿通用切り欠き部７７５は、上下に長い矩形の開口形状を備えつつ、第３の部位ｗ３の前端面に近接した位置に設けられている。また、「第３の部位ｗ３」の左右の側面部を貫通すると共に、第３の部位ｗ３の前端面で開口している。
【０１７８】
図２１及び図２５（ａ）に示すように、第３の部位ｗ３（第２の伝達部材７７０）において、この挿通用切り欠き部７７５の下縁部（挿通用空間部７７５ａの下縁部）を構成する面部分によって、第１の受圧部Ｊ１を構成する。この第１の受圧部Ｊ１は、参考発明２の発明の「受圧部」の具体例を構成するものである。
【０１７９】
また、図２１及び図２５（ａ）に示すように、第３の部位ｗ３において、挿通用切り欠き部７７５の上縁部（挿通用空間部７７５ａの上縁部）を構成する面部分により、規制部７７５ｋの具体例を構成する。このため、第３の部位ｗ３（第２の伝達部材７７０）においては、規制部７７５ｋと受圧部Ｊ１とを、挿通用空間部７７５ａを挟んで、上下に対向する状態に備えている。尚、挿通用切り欠き部７７５の上下方向に沿った幅は、「支持本体部７１５の第１の操作孔７１５ｍ」の上下方向に沿った幅の約半分とされている。
【０１８０】
挿通孔７７６は、図２１に示すように、上下に長い矩形の開口形状を備えつつ、第３の部位ｗ３の「前後方向中間部」において、「第３の部位ｗ３」の左右の側面部を貫通する状態に設けられている。そして、第３の部位ｗ３（第２の伝達部材７７０）において、この挿通孔７７６の上縁部を構成する部位によって、「第３の受圧部Ｊ３」を構成する。尚、挿通孔７７６の上下方向に沿った幅は、「支持本体部７１５の第２の操作孔７１５ｎ」の上下方向に沿った幅の約半分とされている。
【０１８１】
この第２の伝達部材７７０は、支持体７１０に対して、以下のように組み込まれている。つまり、「第１の部位ｗ１」の左側面部の上半部を、第１の伝達部材７６０の「第５の領域部ｄ５」の右側面部に摺動可能に当接させ、「第２の部位ｗ２」の左側面部の上半部を、ガラス扉枠施錠部材７５０の「第５の領域部ｃ５」の右側面部に摺動可能に当接させる。しかも、「第３の部位ｗ３」の左側面部の略全域を、支持本体部７１５の「第５の領域部ｂ５」の右側面部に摺動可能に当接させ、「第３の部位ｗ３」の左側面部の略全域を、支持本体部７１５の「第５の領域部ｂ５」の右側面部から、「ガラス扉枠施錠部材７５０の肉厚（左右幅）」に相当する距離だけ、離間させる。
【０１８２】
このとき、連結用切り欠き部７７１に連結用突起７６６の基端部側が挿入される。そして、連結用突起７６６の突端部が、「第１の部位ｗ１」の右側面部より右側方に突出するが、この連結用突起７６６の突出方向に沿った中間部が屈曲部とされ、連結用突起７６６の突端部が、下方を指向する状態とされる。つまり、連結用突起７６６の突端部において、「第１の部位ｗ１の右側面部から右側方に向かう突出量」が少なくされている。
【０１８３】
また、支持孔７７２の上下方向中間部と、「ガラス扉枠施錠部材７５０」の下方の支持孔７５３ｂの下端部とが位置合わせされる（左右方向に位置合わせされる）と共に、前述の支持ピンＰの軸部Ｐ１（支持孔７５３ｂに挿通される支持ピンＰの軸部Ｐ１）が、支持孔７７２にも挿通されるため、第２の伝達部材７７０は、第１の伝達部材７６０と一体にて上下動可能とされる。更に、第２の伝達部材７７０の下端側に設けられた「切り欠き部７７３」には、第２の可動鉤部材７２１の操作ピン７２７が挿通される。
【０１８４】
第２の伝達部材７７０は、通常時（操作力が負荷されないときに）おいて、図１５等に示すように、「第１の受圧部Ｊ１（挿通用切り欠き部７７５の下縁部）」と、第１の操作孔７１５ｍの上下方向中間部とが、左右に位置合わせされ、「第３の受圧部Ｊ３（挿通孔７７６の上縁部）」とが、左右に位置合わせされる。同時に、支持孔７７２の上下方向中間部と、「ガラス扉枠施錠部材７５０」の下方の支持孔７５３ｂの下端部とが位置合わせされ、下部操作部位７７３ｂが、操作ピン７２７に対して、その下方から当接する（図２１を参照）。
【０１８５】
この状態から、図３０に示すように、第２の伝達部材７７０を上方に引き上げ、上下方向に沿った上限位置に移動させると、下部操作部位７７３ｂが操作ピン７２７を押し上げるため、第２の可動鉤部材７２１は、回動支点部を中心に回転して（右側方から見て、時計回りに回転して）、解錠状態となる。このとき、第１の伝達部材７６０も、上方に引き上げられるため、第１の可動鉤部材７２０も、解錠状態となる。一方、第２の伝達部材７７０を押し下げ、下限位置に移動すると、第１の伝達部材７６０及び、ガラス扉枠施錠部材７５０も下方に移動する。
【０１８６】
受皿扉部材施錠部材７８０は、図１３に示すように、支持本体部７１５の左側面部（裏面部であって、第５の領域部ｂ５の左側面部）７１５Ｌに対して摺動可能な状態で、支持本体部７１５に装着されている。この受皿扉部材施錠部材７８０は、図２２に示すように、受皿扉部材施錠用係合部Ｋ２を有する係合機能部７８１と、この係合機能部７８１の動作態様（係合動作の可否）を選択するための動作選択部７８５と、を備えている。
【０１８７】
係合機能部７８１は第５の領域部ｂ５に対し、摺動状態にて上下動可能とされている。この係合機能部７８１は、縦長の金属板を用いて構成されるベース部７８２と、ベース部７８２の前端面における中間側の２カ所から、各々、前方に向かって突出する「第２の係合用フック部７８３」と、を備える。尚、「第２の係合用フック部７８３」は、受皿扉部材施錠用係合部Ｋ２の具体例を構成する。また、上下２つの受皿扉部材施錠用係合部Ｋ２のうちで、上方に位置するものには、下方に突出する「返し部Ｋ２１」が設けられている（図２２を参照）。
【０１８８】
ベース部７８２は、「その上端面を含む上端側の部位」が、第５の領域部ｂ５の左側面部から離間する方向に隆起する隆起部７８２ａとされている。この隆起部７８２ａの右側面部と、支持本体部７１５の左側面部との間には、動作選択部７８５の肉厚（左右方向幅）よりも僅かに大きな隙間が形成される。また、ベース部７８２において、隆起部７８２ａよりも下方の２カ所には、縦長の支持孔７８２ｂ、７８２ｂが設けられている。これらの支持孔７８２ｂ、７８２ｂは、ベース部７８２の左右両側面部を貫通しつつ、長手方向を上下に向けた略円状に構成されると共に、鉛直方向に併設されている。そして、ベース部７８２は、これらの支持孔７８２ｂ、７８２ｂと、対応する支持ピンＰ、Ｐとを用いて、「支持本体部７１５を構成する第５の領域部ｂ５」の左側面部に対して摺動可能な状態に装着されている。
【０１８９】
これらの支持ピンＰ、Ｐも、前述の「ガラス扉枠施錠部材７５０を支持するための支持ピンＰ、Ｐ」と同様な構成を備える。つまり、支持孔７８２ｂ、７８２ｂに対して遊入可能な軸部Ｐ１と、軸部Ｐ１の一端部に装着され、支持孔７８２ｂ、７８２ｂの短手幅よりも、大きな直径を備えるフランジ部Ｐ２とを備える。そして、一方の支持ピンＰの軸部Ｐ１を、その他端部の側から上方の支持孔７８２ｂに挿通し、この他端部を、「支持本体部７１５の第５領域部ｂ５」に、「カシメ」を用いて固定する。また、他方の支持ピンＰの軸部Ｐ１を、その他端部の側から下方の支持孔７８２ｂに挿通し、この他端部を、「支持本体部７１５の第５領域部ｂ５に」に、「カシメ」を用いて固定する。
【０１９０】
これにより、ベース部７８２は、支持本体部７１５の左側面部に対して摺動可能とされているが、各支持孔７８２ｂ、７８２ｂの内壁面の下端部が、対応する支持ピンＰ、Ｐの軸部Ｐ１に当接すると、ベース部７８２の動作位置は上限位置となる。また、ベース部７８２の後端面うちで下端側の部位には、前述のバネ係止部７８２ｃが設けられ、このバネ係止部７８２ｃと、その上方に位置する「第２の可動鉤部材７２１のバネ係止部７２８」との間には、第３のコイルバネＢ３が装着され、ベース部７８２には、上方に向かう付勢力が負荷されている。このため、通常において（ベース部７８２に外力が負荷されない場合において）、ベース部７８２の動作位置が上限位置とされ、ベース部７８２を第２のコイルバネＢ２の付勢力に対抗して下方に引き下げると、ベース部７８２の動作位置が下限位置の方向に向かって変化するものとされている。
【０１９１】
第２の係合用フック部７８３も、図３２に示すように、係合本体部７８３ａと、導入部７８３ｂとを、前方から後方に、この順で備えている。このうち、より後方に位置する導入部７８３ｂでは、その上端面が後端部（第２の係合用フック部７８３の後端部）に向かうに従って下り傾斜となる「下り傾斜面」としている。また、導入部７８３ｂよりも前方に位置する係合本体部７８３ａは、導入部７８３ｂに比べて凹んだ、係合用凹部７８３ｃを備えている。
【０１９２】
両第２の係合用フック部７８３は、「取付代部７１１の前面部７１１ａ」の前方に突出する状態とされつつ、ベース部７８２と一体で上下動可能とされている。そして、ベース部７８２が、支持本体部７１５の左側面部に対して摺動しつつ、その上限位置から下降すると、両第２の係合用フック部７８３は、「取付代部７１１の前面部７１１ａ」の前方において、その上限位置から下降するものとされている。
【０１９３】
動作選択部７８５は、図２２に示すように、縦長の金属板を用いて構成されると共に、略矩形板状に構成される本体部７８６と、この本体部７８６の上端面と一体となりつつ、前方に突出する姿勢変更用突出部７８７とを備えている。尚、「本体部７８６とベース部７８２とからなる略帯板状の部分」によって、請求項３の発明の「受皿扉部材用可動片部」の具体例を構成する。
【０１９４】
動作選択部７８５の下端部は、隆起部７８２ａの右側面部の左側に配置される（図２０等を参照）と共に、「隆起部７８２ａに装着された支持ピンＱ」を用いて、隆起部７８２ａに支持されている。この支持ピンＱは、隆起部７８２ａに対しては回転不能な状態で装着されている。そして、動作選択部７８５は、この支持ピンＱに支持されつつ、この支持ピンＱを支点に後方に向かって傾動可能とされている。つまり、支持ピンＱは、動作選択部７８５の「傾動支点部」を構成している。そして、動作選択部７８５の姿勢は、「基本姿勢（本体部７８６の軸心を上下方向に向ける姿勢であって、図３９を参照）」と、「この基本姿勢に比べて動作選択部７８５を後方に傾動させた傾動姿勢（図３６を参照）」と、の間で、姿勢変更可能とされている。
【０１９５】
但し、図２２に示すように、動作選択部７８５において、上下方向に沿った中間位置には、略Ｌ字状の案内孔７８５ｍが設けられている。この案内孔７８５ｍは、動作選択部７８５を肉厚方向に貫通する状態に設けられている。この案内孔７８５ｍは、上下方向に設けられた「上下動範囲案内部７８５ｎ」と、前後に設けられた「傾動範囲案内部７８５ｐ」とを備えている。そして、上下動範囲案内部７８５ｎの下端部と、傾動範囲案内部７８５ｐの後端部とが合流し、上下動範囲案内部７８５ｎ及び傾動範囲案内部７８５ｐによって、略Ｌ字状の案内孔７８５ｍを構成している。また、案内孔７８５ｍには、案内ピン７８５ｒの軸部が遊入されると共に、この軸部の先端部（図示を省略）が、支持本体部７１５に対して固定（カシメ固定等）されている。また、案内ピン７８５ｒの頭部（案内孔７８５ｍの短手幅よりも大きな直径を備える頭部）は、動作選択部７８５の右側面部の右側方に露呈している。
【０１９６】
この動作選択部７８５の姿勢が基本姿勢であり、しかも、ベース部７８２の動作位置が上限位置にあるとき（動作選択部７８５の動作位置も、上限位置にある。）に（以下、「基本状態」という。）、案内ピン７８５ｒの軸部は、上下動範囲案内部７８５ｎの下端部と、傾動範囲案内部７８５ｐの後端部とが合流する部位に位置する（図３９を参照）。この基本状態から、ベース部７８２を下方に動作させると、動作選択部７８５は、上下動範囲案内部７８５ｎに案内されつつ、下方に動作する。このとき、上下動範囲案内部７８５ｎにおける軸部の遊入箇所が、上下動範囲案内部７８５ｎのより上方の位置に移行する。そして、上下動範囲案内部７８５ｎの上端部と、軸部とが当接したところで、この上下動範囲案内部７８５ｎの上端部がストッパ−として機能する。つまり、ベース部７８２及び動作選択部７８５（つまり、受皿扉部材施錠部材７８０）の下方への動作量を、更に増加させることが不可能となる。換言すると、上下動範囲案内部７８５ｎは、ベース部７８２及び動作選択部７８５（つまり、受皿扉部材施錠部材７８０）の上下動可能な範囲を案内（規制）することになる。
【０１９７】
また、この基本状態から、動作選択部７８５の姿勢を、傾動姿勢に変化させると、動作選択部７８５は、傾動範囲案内部７８５ｐに案内されつつ、後方に傾動する。このとき、傾動範囲案内部７８５ｐにおける軸部の遊入箇所が、傾動範囲案内部７８５ｐのより前方の位置に移行する（図３６を参照）。そして、傾動範囲案内部７８５ｐの前端部と、軸部とが当接したところで、この傾動範囲案内部７８５ｐの前端部が、ストッパ−として機能する。つまり、動作選択部７８５の後方への傾動量を、更に増加させることが不可能となる。換言すると、傾動範囲案内部７８５ｐは、動作選択部７８５の傾動可能な範囲を案内（規制）することになる。
【０１９８】
図２２に示すように、本体部７８６の上下方向中間部には受圧用切り欠き部７８６ａと、逃がし用切り欠き部７８６ｂと、が設けられている。また、本体部７８６の上下方向中間部から下端部側に至る部位には、逃がし用孔７８６ｃが設けられている。
【０１９９】
受圧用切り欠き部７８６ａは、上下に長い矩形の開口形状を備えつつ、本体部７８６の前端面に近接した位置に設けられている。また、受圧用切り欠き部７８６ａは、本体部７８６の左右の側面部を貫通すると共に、本体部７８６の前端面で開口している。そして、本体部７８６において、この受圧用切り欠き部７８６ａの下縁部を構成する部位によって、「第２の受圧部Ｊ２」を構成する。尚、挿通用切り欠き部７７５の上下方向に沿った幅は、「支持本体部７１５の第１の操作孔７１５ｍ」の上下方向に沿った幅の約半分とされている。尚、この「第２の受圧部Ｊ２」は、請求項３の発明の「被操作部」の具体例を構成する。
【０２００】
逃がし用切り欠き部７８６ｂは、受圧用切り欠き部７８６ａの下方側において、受圧用切り欠き部７８６ａと連続する状態に設けられている。この逃がし用切り欠き部７８６ｂは、上下に長い開口形状を備えつつ、本体部７８６の前端面に近接した位置に設けられている。また、逃がし用切り欠き部７８６ｂは、本体部７８６の左右の側面部を貫通すると共に、本体部７８６の前端面で開口している。尚、逃がし用切り欠き部７８６ｂの上下方向に沿った幅は、受圧用切り欠き部７８６ａの上下方向に沿った幅と略等しくされているが、逃がし用切り欠き部７８６ｂの前後方向に沿った幅は、受圧用切り欠き部７８６ａの前後方向に沿った幅よりも小さくされている。
【０２０１】
逃がし用孔７８６ｃは、上下に長い開口形状を備えつつ、本体部７８６の「前後方向中間部」において、本体部７８６の左右の側面部を貫通する状態に設けられている。この逃がし用孔７８６ｃの開口部のサイズは、「支持本体部７１５の第２の操作孔７１５ｎ」の開口部のサイズよりも大きくされている。つまり、逃がし用孔７８６ｃは第２の操作孔７１５ｎに比べて、上下及び前後方向に沿った幅が大きくされている。尚、逃がし用孔７８６ｃの前端縁７８６ｇは、後方に向かって下り傾斜となる経路を描いている。
【０２０２】
本体部７８６の後端面からは、左側方に向かって、バネ係止部７８６ｅが突出している。そして、図２３及び図２８に示すように、このバネ係止部７８６ｅと、取付代部７１１のバネ係止部７１１ｇとの間には、第１のコイルバネＢ１が装着され、バネ係止部７８６ｅをバネ係止部７１１ｇの方向に引き寄せるような付勢力が加えられる。つまり、第１のコイルバネＢ１は、参考発明１の発明の「付勢手段」の具体例を構成するものであり、第１のコイルバネＢ１は、本体部７８６（動作選択部７８５）の姿勢が、基本姿勢となるように本体部７８６（動作選択部７８５）を付勢している。尚、図１１、図１３、及び図２１においては、第１のコイルバネＢ１の図示を省略している。
【０２０３】
尚、本体部７８６（動作選択部７８５）に、第１のコイルバネＢ１の付勢力が負荷され、本体部７８６（動作選択部７８５）の姿勢が基本姿勢となると、バネ係止部７８６ｅが、支持本体部７１５の後端面７１５ｘに対して、その後方から当接する。このため、本体部７８６（動作選択部７８５）が、それ以上、前方に傾動し、前傾姿勢となることが防止される。つまり、バネ係止部７８６ｅは、本体部７８６（動作選択部７８５）の姿勢を基本姿勢に維持するため（前傾姿勢としないための）の「ストッパー」としても機能することになる。」
【０２０４】
姿勢変更用突出部７８７は、図２２に示すように、本体部７８６と一体の金属板で構成されると共に、略円弧状の外形を備えている。また、姿勢変更用突出部７８７は、下方の「第１の係合部」の右側方に配置されている｛図３４（ａ）を参照｝。また、姿勢変更用突出部７８７の突端部７８７ａには、面取りが施されている。そして、本体部７８６（動作選択部７８５）の姿勢が基本姿勢となると、姿勢変更用突出部７８７は、取付代部７１１の前面部７１１ａよりも前方に突出する。そして、本体部７８６（動作選択部７８５）の姿勢が傾動姿勢に変更されると、姿勢変更用突出部７８７の「取付代部７１１の前面部７１１ａ」からの突出量がわずかなものとされる。
【０２０５】
図３９に示すように、受皿扉部材施錠部材７８０に操作力が負荷されていない場合、第２のコイルバネＢ２の付勢力によって、受皿扉部材施錠部材７８０の動作位置は上限位置とされる（図２０を参照）。このとき、動作選択部７８５の姿勢が基本姿勢であれば、第２の受圧部Ｊ２（受圧用切り欠き部７８６ａの下縁部）は、第１の操作孔７１５ｍの上下方向中間位置に配置される。また、第２の受圧部Ｊ２と、第１の受圧部Ｊ１とが、前後方向に位置合わせされる。
【０２０６】
一方、図３６に示すように、受皿扉部材施錠部材７８０に操作力が負荷されておらず、しかも、動作選択部７８５の姿勢が傾動姿勢である場合においては、第２の受圧部Ｊ２（受圧用切り欠き部７８６ａの下縁部）も、後方に傾動し、第１の操作孔７１５ｍと前後に位置合わせすることはできなくなる（図３７を参照）。換言すると、第２の受圧部Ｊ２の位置が退避位置に位置変更され、第２の受圧部Ｊ２（受圧用切り欠き部７８６ａの下縁部）と、第１の受圧部Ｊ１とを、前後方向に位置合わせすることができなくなる。
【０２０７】
また、動作選択部７８５の姿勢が基本姿勢に戻されると、動作選択部７８５に操作力が加わり、動作選択部７８５が下方に押し下げられると、受皿扉部材施錠部材７８０全体が、第２のコイルバネＢ２の付勢力に対抗して下方に引き下げられ、受皿扉部材施錠部材７８０の動作位置が下限位置の方向に向かって変化する（図４０を参照）。
【０２０８】
錠部材８００は、所謂、シリンダ錠であり、図２３に示すように、錠本体８０１と、カム部材８０２と、を備えている。このうち、錠本体８０１は、ステー８０３を用いて取付代部７１１に装着されている。つまり、錠本体８０１は、その後端部を取付孔７１１ｆを通じて取付代部７１１の後方に到達させ、中間部及び前端部を、取付代部７１１の前面部７１１ａの前方に突出させた状態で、取付代部７１１に装着されている。また、錠本体８０１の前端部では鉤孔（図示を省略）が露呈し、錠本体８０１には錠軸８０１ａが配置されいる。そして、鉤孔に鉤８０５を差し込んで、この鉤８０５を所定の回転方向に操作すると、錠軸８０１ａが、同一方向に回転するものとされている。
【０２０９】
カム部材８０２は、錠軸８０１ａに一体化され、錠軸８０１ａと一体で回転可能とされている。尚、この錠軸８０１ａの回動軸心は、カム部材８０２の回動軸心と一致する。このカム部材８０２は、後方から観察して、略Ｖ字状のカム板を用いて構成されている。このカム部材８０２には、図２４に示すように、略扇形状に構成され、錠軸８０１ａの後端部に一体回動可能な状態で固定された中央部８０２ａと、中央部８０２ａから斜め左上方に向かって突出する「第１の突起部８０２ｂ」と、中央部８０２ａから斜め左下方に向かって突出する「第２の突起部８０２ｃ」と、を備えている。
【０２１０】
但し、第１の突起部８０２ｂは、中央部８０２ａから直接、突出し、第２の突起部８０２ｃは、中央部８０２ａから後方に突出する中間突出部８０２ｄを介して、突出している（図２３を参照）。このため、第１の突起部８０２ｂは、取付代部７１１に近接する位置において、取付代部７１１の裏面部と平行な状態となり、第２の突起部８０２ｃは、取付代部７１１と離間する位置において、取付代部７１１の裏面部と平行な状態となっている。
【０２１１】
第１の突起部８０２ｂは、前述の「第１の受圧部Ｊ１」及び「第２の受圧部Ｊ２」を押圧するための押圧部を構成する部分である。この第１の突起部８０２ｂは、その突出方向に沿って、幅（突出方向に直交する方向に沿った幅）を徐々に変化させた板状片によって構成されている。この第１の突起部８０２ｂは、底面部８０２ｇを平滑面とし、上面部８０２ｈを略波形面としている。つまり、この「第１の突起部８０２ｂ」は、基端側に平面形状が略谷形の部位８０２ｋを配置し、突端側に、平面形状が略山形の部位８０２ｍを配置した構成を備える。そして、第１の突起部８０２ｂのうちで、「平面形状が略山形の部位８０２ｍ」が、「挿通用空間部７７５ａ」に、遊び持った状態（遊入状態）で挿通される。以下、この「平面形状が略山形の部位８０２ｍ」を、「第１の挿通部８７０」と称するが、この「第１の挿通部８７０」は、参考発明２の発明の「挿通部」の具体例を構成する。
【０２１２】
また、「第２の突起部８０２ｃ」は、前述の「第３の受圧部Ｊ３」を押圧するための押圧部を構成する部分である。この「第２の突起部８０２ｃ」は、略舌片状とされつつ、斜め左下方に向かって板状片によって構成されている。この第２の突起部８０２ｃは、略三角形の平面形状を備えると共に、上面部８０２ｔ及び底面部８０２ｕを平滑面としている。そして、第２の突起部８０２ｃの基端部側を除いた部分８０２ｖが、「挿通孔７７６」に、遊び持った状態（遊入状態）で挿通される。以下、この部分を、「第２の挿通部８８０」と称する。
【０２１３】
施錠装置７００に一切の解錠操作が施されていない状態（つまり、ガラス扉枠４、中枠３、受皿扉部材５の何れについても、解錠操作も施されていない状態でり、以下、「無負荷状態」という。）では、図２５（ａ）に示すように、「第１の挿通部８７０」の突端部側が、「挿通用空間部７７５ａ」に挿入される。また図１６に示すように、「第２の挿通部８８０」の突端部側が、挿通孔７７６に挿入される。このとき、図２５（ａ）に示すように、「第１の突起部８０２ｂ」の底面部８０２ｇは、「第１の突起部８０２ｂの突出方向（左方向）」に上がり傾斜状とされつつ、「第１の受圧部Ｊ１」の上方に僅かな隙間を挟んで配置される。また、「第２の突起部８０２ｃ」の上面部８０２ｔは、「第２の突起部８０２ｃの突出方向（左方向）」に下り傾斜状とされつつ、「第３の受圧部Ｊ３」の上方に僅かな隙間を挟んで配置される。
【０２１４】
この施錠装置７００が「無負荷状態」のとき、図２６に示すように、「第１の挿通部８７０」において、上方に凸となる頂点部８７０ａは、「挿通用空間部７７５ａ」に挿入されない。つまり、本実施例では、錠軸８０１ａを、錠操作伝達部材７６０Ａ（第２の伝達部材７７０）の右側面部（表面部）７６０Ｒの右側方において、軸線を前後に向けた状態で配置する。また、施錠装置７００が「無負荷状態」のときには、頂点部８７０ａが、錠操作伝達部材７６０Ａ（第２の伝達部材７７０）の右側面部（表面部）７６０Ｒの右側方側において、この右側面部（表面部）７６０Ｒと、錠軸８０１ａとの間の箇所に配置される。そして、錠部材８００が無負荷状態にあるときに、第１の挿通部８７０のうちで規制部７７５ｋの直下に位置する部位（２点鎖線のハッチング表示Ｈ２の部分を参照）８７０ｂ」が、「基準部８７０ｃ」であるが、この第１の挿通部８７０は、この「基準部８７０ｃ」よりも、右側の位置（錠軸８０１ａ側の位置）であって、しかも、「基準部８７０ｃ」の上端部よりも上方の位置に頂点部８７０ａを配設している。
【０２１５】
つまり、第１の挿通部８７０は、錠部材８００が無負荷状態にあるときに、（１）規制部７７５ｋの直下に、所定の隙間（クリアランス）を維持した状態で基準部８７０ｃを配置している。そして、基準部８７０ｃよりも錠軸８０１ａ側に位置する箇所に設けられると共に基準部８７０ｃよりも、上端部を上方に配置する部分（図２６において仮想線Ｍよりも上方の部分）８７０ｄを配置している。この部分８７０ｄは、第１の挿通部８７０において、頂点部８７０ａを含む部分（図２６において仮想線Ｍよりも上方の部分）によって構成されると共に、「不正挿通規制部８７０ｄ」の具体例を構成する。尚、この「第１の挿通部８７０」においては、「不正挿通規制部８７０ｄ」よりも更に「錠軸８０１ａ側（カム部材８０２の回動軸心側）に位置する部分が、上方に開口する谷部（つまり、「逃がし用凹部」）８７０ｕとされている。
【０２１６】
ここで、図２５（ａ）に示すように、錠部材８００が無負荷状態にあり、「第１の挿通部８７０」の突端部側が、「挿通用空間部７７５ａ」に挿入された状態のときに、後述するように、施錠装置７００は、ガラス扉枠４を施錠可能な状態となる。つまり、錠部材８００を無負荷状態にし、「第１の挿通部８７０」がその突端部側を「挿通用空間部７７５ａ」に挿入させた位置にあるときに、「第１の挿通部８７０は「施錠位置」に位置することになる。
【０２１７】
錠部材８００が無負荷状態のとき、錠部材８００に鉤８０５を用いて、「ガラス扉枠４の施錠を解除するための正当な解錠操作」を施し、錠軸８０１ａを左回転させ、カム部材８０２を左回転させると、図２６に示すように、「第１の挿通部８７０」は、略円弧状の通過経路を描きつつ、施錠位置よりも下方の解錠位置に向かって移行する。つまり、「第１の挿通部８７０」は、その底面部８０２ｇを用いて「第１の受圧部Ｊ１」を下方に押圧し、錠操作伝達部材７６０Ａ（第２の伝達部材７７０）を下方に動作させることができる。この際、規制部７７５ｋが、谷部（逃がし用凹部）８７０ｕに進入するため、錠部材８００への解錠操作（ガラス扉枠施錠部材７５０を解錠方向に動作させるための操作）は円滑に行われる。
【０２１８】
錠部材８００が無負荷状態のときに、錠部材８００に解錠操作を施すことなく、錠操作伝達部材７６０Ａ（第２の伝達部材７７０）を下方に動作させようとすると、カム部材８０２は以下のように動作する。つまり、図２７に示すように、錠操作伝達部材７６０Ａ（第２の伝達部材７７０）を僅かに下降させると（規制部７７５ｋと、基準部８７０ｃとの隙間に相当する量だけ、下降させると）、規制部７７５ｋが基準部８７０ｃと当接する。このとき、錠操作伝達部材７６０Ａ（第２の伝達部材７７０）の右側方であって、しかも、規制部７７５ｋよりも上方に不正挿通規制部８７０ｄが位置する。このため、カム部材８０２を左回転が禁止され、「第１の挿通部８７０」の位置が解錠位置に移行することが禁止される。
【０２１９】
（３）施錠装置の使用方法
ａ．外枠の施錠方法
中枠３が外枠２に対して開放状態にある場合、中枠３を外枠２に対して閉鎖状態にすれば、中枠３が外枠２に施錠される。つまり、中枠３を開放状態から閉鎖状態に変化させる途中に、上方の「中枠施錠用被係合部Ｌ３」は、第１の可動鉤部材７２０の導入部７２６の上端面を摺動し、下方の「中枠施錠用被係合部Ｌ３」は、第２の可動鉤部材７２１の導入部７２６の上端面を摺動する。このとき、導入部７２６の上端面が、各可動鉤部材７２０、７２１の後端部に向かうに従って下り傾斜となる「下り傾斜面」となっているため、中枠施錠用被係合部Ｌ３が係合本体部７２５に近接するに従って、各可動鉤部材７２０、７２１の開放量が増加する。
【０２２０】
つまり、図２９に示すように、各可動鉤部材７２０、７２１が、回動支点部７２２を支点に時計回転方向（右側方から観察して）に回転して、係合本体部７２５の方向に「中枠施錠用被係合部Ｌ３」を受け入れる。そして、各中枠施錠用被係合部Ｌ３が、導入部７２６を完全に通過し、対応する係合本体部７２５に到達すると、各可動鉤部材７２０、７２１は、対応するコイルバネＢ２、Ｂ３の付勢力を利用し、回動支点部７２２を支点に反時計回転方向（右側方から観察して）に回転して、「施錠実行状態」となる。尚、中枠３が外枠２に対して施錠状態とする際には、図２９に示すように、各可動鉤部材７２０、７２１は単独で回動動作（第２の可動部材７６０及び第２可動部材７７０の駆動とは無関係な回動動作、つまり、第２の可動部材７６０及び第２可動部材７７０を上昇させないで行う回動動作）を実行する。
【０２２１】
ｂ．ガラス扉枠（前面枠）の施錠方法
ガラス扉枠４が中枠３に対して開放状態にある場合、ガラス扉枠４を中枠３に対して閉鎖状態にすれば、ガラス扉枠４が中枠に施錠される。つまり、図３３に示すように、ガラス扉枠４を開放状態から閉鎖状態に変化させる途中に、上方の「ガラス扉枠用被係合部Ｌ１」は、上方の「第１の係合用フック部７５６」の導入部７５６ｂの上端面に摺動し、下方の「ガラス扉枠用被係合部Ｌ１」は、下方の「第１の係合用フック部７５６」の導入部７５６ｂの上端面を摺動する。
【０２２２】
このとき、導入部７５６ｂの上端面は、各「第１の係合用フック部７５６」の後端部に向かうに従って下り傾斜となる「下り傾斜面」とれているため、各「ガラス扉枠用被係合部Ｌ１」が対応する係合本体部７５６ａに近づくに従って、下方への移動量が多くなる。そして、各「ガラス扉枠用被係合部Ｌ１」が対応する係合本体部７５６ａに係合本体部７５６ａに到達したところで、各「第１の係合用フック部７５６」は上限位置に戻され、ガラス扉枠４が中枠３に対して施錠された状態となる。
【０２２３】
ｃ．受皿扉部材の施錠方法
受皿扉部材５が中枠３に対して開放状態にある場合、受皿扉部材５を中枠３に対して閉鎖状態にすれば、受皿扉部材５が中枠に施錠される。つまり、受皿扉部材５を開放状態から閉鎖状態に変化させる途中に、上方の「受皿扉部材施錠用被係合部Ｌ２」は、上方の「第２の係合用フック部７８３」の導入部７８３ｂ上端面を摺動し、下方の「受皿扉部材施錠用被係合部Ｌ２」は、下方の「第２の係合用フック部７８３」の導入部７８３ｂ上端面に摺動する。
【０２２４】
このとき、導入部７８３ｂの上端面は、図３２に示すように、各「第２の係合用フック部７８３」の後端部に向かうに従って下り傾斜となる「下り傾斜面」とされているため、各「受皿扉部材施錠用被係合部Ｌ２」が対応する係合本体部７８３ａに近づくに従って、下方への移動量が多くなる（図３２の破線を参照）。そして、各「受皿扉部材施錠用被係合部Ｌ２」が対応する係合本体部７５６ａに係合本体部７５６ａに到達したところで、各「第１の係合用フック部７８３ａ」は上限位置に戻され、受皿扉部材５が中枠３に対して施錠された状態となる。
【０２２５】
ｄ．外枠の解錠方法
中枠３が外枠２に対して施錠状態にあるときには、鉤孔に差し込んだ鉤８０５を、右回転方向に操作し、図２８に示すように、錠軸８０１ａ及びカム部材８０２を右回転方向に動作させると（約１／６回転させると）、第２の押圧突起８０２ｃが、第３の受圧部Ｊ３を上方に押圧するため、第２の伝達部材７７０及び第１の伝達部材７６０が上方に移動する。この上方への移動を、例えば、連結用突起７６６の高さ位置に着目して説明すると、以下のようになる。つまり、動作前に、「Ａ１の高さ位置」にあった連結用突起７６６（図１６を参照）は、動作後に、「Ａ３の高さ位置」に上昇（上昇量Ｄ３）する（図３５を参照）。
【０２２６】
第２の伝達部材７７０及び第１の伝達部材７６０が上方への移動により、第１の伝達部材７６０の「上部操作部位７６２ｂ」が、「第１の可動鉤部材７２０に装着された操作ピン７２７の軸部」を押し上げ、第２の伝達部材７７０の「下部操作部位７７３ｂ」が、第２の可動鉤部材７２１に装着された操作ピン７２７の軸部」を押し上げる（図３０を参照）。このため、中枠３の外枠２に対する施錠が解錠される。
【０２２７】
ｅ．ガラス扉枠（前面枠）の解錠方法
図３６に示すように、ガラス扉枠４及び受皿扉部材５が中枠３に対して施錠されているときには、姿勢変更用突出部７８７が、閉鎖状態とされたガラス扉枠４の姿勢変更部材（下方の係合突起４５）によって後方押圧される。このため、本体部７８６（動作選択部７８５）が傾動姿勢となり、第２の受圧部Ｊ２の位置が退避位置とされる。この状態にあるときに、鉤孔に差し込んだ鉤８０５を、左回転方向に操作し、錠軸８０１ａ及びカム部材８０２を左回転方向に動作させる（約１／６回転させると）。このとき、第２の受圧部Ｊ２の位置が退避位置とされるため、第１の押圧突起８０２ｂは、第１の受圧部Ｊ１を下方に押圧するが、第２の受圧部Ｊ２を下方に押圧することができない（図３７を参照）。そして、図３８に示すように、第１の受圧部Ｊ１が下方に押圧されることにより、第２の伝達部材７７０及び第１の伝達部材７６０を介して、ガラス扉枠施錠部材７５０が下方に押圧されるため、ガラス扉枠施錠部材７５０は、錠操作伝達部材７６０Ａ（第２の伝達部材７７０及び第１の伝達部材７６０）と共に下方に移動する。
【０２２８】
以上のガラス扉枠施錠部材７５０、錠操作伝達部材７６０Ａの挙動を、例えば、連結用突起７６６及び支持ピンＱの高さ位置に着目して説明すると、以下のようになる。つまり、動作前に、「Ａ１の高さ位置」にあった連結用突起７６６（図３７を参照）は、動作後に、「Ａ２の高さ位置」に下降（下降量Ｄ１）する（図３８を参照）。ところが、動作前に、「Ｆ１の高さ位」置にあった支持ピンＱ（図３７を参照）は、動作後も、「Ｆ１の高さ位置」に維持される。つまり、受皿扉部材施錠部材７８０の位置は、上限位置に保たれるため、ガラス扉枠４の中枠３に対する施錠は解除されるが、受皿扉部材５の中枠３に対する施錠は維持される。
【０２２９】
ｆ．受皿扉部材の解錠方法
先ず、図３９に示すように、ガラス扉枠４の中枠３に対する施錠を解除し、ガラス扉枠４を開放状態（中枠３に対する開放状態）とする。このように、ガラス扉枠４が開放状態とされると、「姿勢変更用突出部７８７に対する姿勢変更部材（下方の係合突起４５）による押圧」が解除されるため、本体部７８６（動作選択部７８５）の姿勢は基本動姿勢に戻される。このとき、図３３に示すように、第２の受圧部Ｊ２が、第１の受圧部Ｊ１及び「第１の操作孔７１５ｍ」に対して、横方向に位置合わせされる。そして、この状態にあるときに、鉤孔に差し込んだ鉤８０５を、左回転方向に操作し、錠軸８０１ａ及びカム部材８０２を左回転方向に動作させると（約１／６回転させると）、第１の押圧突起８０２ｂは、第１の受圧部Ｊ１と共に第２の受圧部Ｊ２を下方に押圧することができる。
【０２３０】
以上のガラス扉枠施錠部材７５０、錠操作伝達部材７６０Ａ（第２の伝達部材７７０及び第１の伝達部材７６０）の挙動を、例えば、連結用突起７６６及び支持ピンＱの高さ位置に着目して説明すると、以下のようになる。つまり、動作前に、「Ａ１の高さ位置」にあった連結用突起７６６は、動作後に、「Ａ２の高さ位置」に下降（下降量Ｄ１）する（図３３を参照）。同時に、動作前に、「Ｆ１の高さ位」置にあった支持ピンＱは、動作後に「Ｆ３の高さ位置」に下降する（下降量Ｄ１）。このように、受皿扉部材施錠部材７８０の位置が下方に移動するため、受皿扉部材５の中枠３に対する施錠が解除される。
【０２３１】
（４）実施例の効果
本実施例においては、錠操作伝達部材７６０Ａに対して、支持体本体７１５の方向に向かって突出する押圧用突起部７６５を設け、ガラス扉枠施錠部材７５０に被押圧部７５２ｂを設ける。また、鉤８０５を用いて錠部材８００を操作し、カム部材８０２によって錠操作伝達部材７６０Ａを下方に押圧して錠操作伝達部材７６０Ａを下方に動作させると、被押圧部７５２ｂが押圧用突起部７６５によって下方に押圧される構成を採用する。そして、錠操作伝達部材７６０Ａの「第２領域部ｄ２」を、支持本体部７１５から離間する方向に向かって下り傾斜となる略傾斜状の防護部とする。そして、押圧用突起部７６５を、この防護部（第２領域部ｄ２）の裏面部（下面部）の下方側に配置する。
【０２３２】
つまり、本実施例においては、押圧用突起部７６５の鉛直上方を、防護部（第２領域部ｄ２）によって遮られる状態となる。よって、不正行為者が、押圧用突起部７６５に不正部材Ｆの先端部Ｆ１を到達させようする場合、この先端部Ｆ１が防護部（第２領域部ｄ２）の表面部（上面部）に衝突するため、この先端部を押圧用突起部７６５に到達させることが不可能、若しくは、困難となる。従って、本実施例の施錠装置７００は、不正行為の防止を図る上で有効である。
【０２３３】
また、本実施例では、錠操作伝達部材７６０Ａにおいて、規制部７７５ｋ及び第１の受圧部Ｊ１を「挿通用空間部７７５ａ」を挟んで上下に対向する状態に設ける。また、カム部材８０２の「第１の挿通部８７０」において、基準部８７０ｃよりも錠軸８０１ａ側に位置する箇所に不正挿通規制部８７０ｄが設けられる。そして、不正挿通規制部８７０ｄの上端部が、基準部８７０ｃの上端部よりも上方に配置される。このため、錠操作伝達部材７６０Ａの上端部等を下方に押圧し、錠操作伝達部材７６０Ａが下方に動作しても、不正挿通規制部８７０ｄが、挿通用空間部７７５ａ内に進入に難い。例えば、錠操作伝達部材７６０Ａの上端部等を下方に押圧し、しかも、カム部材８０２に解錠方向（ガラス扉枠４を解錠するための方向）への回転が加わっても、不正挿通規制部８７０ｄは、錠操作伝達部材７６０Ａの右側面部（表面部）７６０Ｒのうちで、「挿通用空間部７７５ａ」の上縁部に近接する部位に衝突する可能性が高い。
【０２３４】
そして、「挿通用空間部７７５ａ」が「不正防止用のストッパー」となり、不正挿通規制部８７０ｄの「挿通用空間部７７５ａ」内への進入が禁止されるため、カム部材８０２の解錠方向（ガラス扉枠４を解錠するための方向）への回転量が、それ以上に多くなることが防止される。このため、カム部材８０２の「第１の挿通部８７０）によって、第１の受圧部Ｊ１を下方に押圧することが禁止されるめ、「錠操作伝達部材７６０Ａの上端部等を下方に押圧する行為（正規の解錠操作とは異なる不正な行為である。）」によっては、「ガラス扉枠４の中枠３に対する施錠状態」を解除することは不可能、若しくは、困難とされる。従って、本実施例の施錠装置７００によると、この点からも、不正行為の防止を図る上で、有効である。
【０２３５】
更に、本実施例の施錠装置７００では、ガラス扉枠（前面枠）４及び受皿扉部材５が中枠３に施錠されると、動作選択部７８５の姿勢が傾動姿勢に変更され、第２の受圧部Ｊ２の位置が退避位置に変更される。このため、錠部材８００に対して、「ガラス扉枠（前面枠）４の施錠を解除するための解錠操作」を施すことは可能であるが、「受皿扉部材５の施錠を解除するための解錠操作」を施すことは不可能とされる。つまり、錠軸部８０１ａを左回転方向に回転させ、押圧部材を左回転方向にで動作させると、ガラス扉枠施錠用係合部Ｋ１のガラス扉枠用被係合部Ｌ１への係合を解除することができるが、受皿扉部材施錠用係合部Ｋ２の受皿扉部材施錠用被係合部Ｌ２への係合を解除することはできない。
【０２３６】
一方、ガラス扉枠（前面枠）４の施錠を解除し、ガラス扉枠（前面枠）４を開放状態とすると、姿勢変更部材（下方の受皿扉部材施錠用係合部Ｋ２）が、動作選択部７８５から離間するため、第１のコイルバネＢ１の付勢力を用いて、動作選択部７８５の姿勢が基本姿勢に戻される。このため、錠軸部８０１ａを、再び、左回転方向に回転させ、押圧部材を左回転方向にで動作させると、受皿扉部材施錠用係合部Ｋ２の受皿扉部材施錠用被係合部Ｌ２への係合を解除することができるようになる。
【０２３７】
つまり、ガラス扉枠（前面枠）４及び受皿扉部材５が中枠３に施錠された状態にある場合、錠部材８００に所定の操作を施すと、受皿扉部材５の施錠を維持した状態で、ガラス扉枠（前面枠）４の施錠を解除することができる。一方、ガラス扉枠（前面枠）４の施錠を解除し、ガラス扉枠（前面枠）４を開放状態とした後に、錠部材８００に同様な操作（ガラス扉枠４の施錠を解除する際の操作と同様な操作）を施すと、受皿扉部材５の施錠を解除することができる。
【０２３８】
このように、本実施例の施錠装置７００では、「同一の錠部材８００に対して施す同様な操作」によって、ガラス扉枠（前面枠）４の施錠の解除と、受皿扉部材５の施錠の解除とを順次、を行うことができる。このため、ガラス扉枠（前面枠）４の解錠操作と、受皿扉部材５の解錠操作とを円滑に実行することができる。また、本実施例の施錠装置７００では、遊技機１にとって、機能上必要とされる「ガラス扉枠（前面枠）４に装着される規制部材（下方の係合突起４５）」を、「受皿扉部材５の解錠を規制するための部材」として利用する。しかも、単に、「ガラス扉枠（前面枠）４」を開放状態とするだけで、「受皿扉部材５の解錠規制」が解除される。よって、本実施例によると、より簡易な構成と、操作性とを備える施錠装置８００が得られる。
【０２３９】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。即ち、複数の実施例の特徴を兼ね備える変形例を例示することもできる。
【０２４０】
つまり、本実施例では、防護部を傾斜部（軸心を傾斜させた板状部分によって構成される傾斜部）を用いて構成する態様を例示したが、図４１（ａ）の変形例１に示すように、防護部を水平部（軸心を水平にした板状部分によって構成される水平部）ＢＷ１を用いて構成してもよい。また、防護部を、１個以上の傾斜部と、１個以上の水平部との組み合わせで構成してもよい。
【０２４１】
また、本実施例では、「錠操作伝達部の上下方向に沿った所定の部位を、支持本体部から離間する方向に向かって下り傾斜となる略傾斜状として防護部を構成し、押圧用突起部を、この防護部の裏面部の下方側において支持本体部の方向に向かって突出する状態に配置する態様」を例示した。但し、図４１（ｂ）の変形例２に示すように、錠操作伝達部７６０Ａの上下方向に沿った所定の部位を、支持本体部７１５に離間する方向に向かって上がり傾斜となる略傾斜の傾斜部とすると共に、この傾斜部によって防護部ＢＷ２を構成してもよい。また、この変形例２に示すように、被押圧用突起部７５０ｖを、この防護部Ｂの裏面部の下方側において支持本体部７１５から離間する方向に向かって突出する状態に配置してもよい。この場合、この７５０ｖを押圧するための押圧部７６０Ｐは、錠操作伝達部７６０Ａに設けられる。
【０２４２】
また、本実施例の動作選択部７８５では、回動支点部の上方側部分に対して、受圧部を設け、この上方側部分を後方に傾動する態様」を例示したが、「回動支点部の下方側部分に対して、受圧部を設け、この下方側部分を後方に傾動する態様」であってもよい。
【０２４３】
上記した各実施例や各変形例の形態では、図柄制御部１６０を音声・ランプ制御部１７０の制御下で用いる態様を説明した。即ち、図柄制御部１６０を、主制御部１４０の２次側（下流）にある音声・ランプ制御部１７０を介して、主制御部１４０の２次側（下流）に接続する設ける態様を例示したが、図柄制御部１６０を音声・ランプ制御部１７０よりも１次側（上流側）に配置することもできる。
【０２４４】
つまり、主制御部１４０の２次側（下流）に所定の伝送経路５００ａを用いて図柄制御部１６０を接続し、図柄制御部１６０の２次側に所定の伝送経路５００ｂを用いて音声・ランプ制御部１７０を接続する。そして、音声・ランプ制御部１７０の２次側（下流）に所定の伝送経路を用いて、液晶柄表示装置２７を接続してもよい。
【０２４５】
また、上記した各実施例や各変形例の形態では、液晶表示装置２７での図柄（本図柄、疑似図柄、背景図柄、キャラクタ図柄等）や保留数の表示制御、及び普通図柄表示装置３２での普通図柄の表示制御を図柄表示部１６０で行うものとしていたが、このうち、液晶表示装置２７における本図柄と保留数の表示制御と、普通図柄表示装置３２における普通図柄の表示制御とを主制御部１４０で行い、液晶表示装置２７における疑似図柄や背景図柄やキャラクタ図柄等の演出専用図柄の表示制御のみを図柄表示部１６０で行うようにしても良い。
【産業上の利用可能性】
【０２４６】
本発明は、遊技機を製造、販売等する分野において利用できる。
【符号の説明】
【０２４７】
１；遊技機、
２；外枠、
３；中枠、
４；ガラス扉枠（前面枠）、
５；受皿扉部材、
１０；遊技盤、
１１；遊技領域、
７００；施錠装置、
７１０；支持体
７１５；支持本体部、
７２０；第１の可動鉤部材（中枠施錠部）、
７２１；第２の可動鉤部材（中枠施錠部）、
７２５ａ；係合用凹部（中枠施錠用係合部）、
７２７；操作ピン（中枠解錠部の被押圧部）、
７５０；ガラス扉枠施錠部材（ガラス扉枠施錠部）、
７５１；可動片部、
７５２ｂ；被押圧部
７６０Ａ；錠操作伝達部材（錠操作伝達部）、
７６２ｂ；上部操作部位（中枠解錠用押圧部）、
７６５；押圧用突起部、
７７３ｂ；下部操作部位（中枠解錠用押圧部）、
７７５ａ；挿通用空間部、
７７５ｋ；規制部、
７８０；受皿扉部材施錠部材（受皿扉部材施錠部）、
７８２；ベース部、
７８６；本体部、
７８６及び７８２；受皿扉部材用可動片部、
８００；錠部材、
８０２；カム部材、
８７０；第１の挿通部（挿通部）、
８７０ｃ；基準部、
８７０ｄ；不正挿通規制部、
Ｋ１：ガラス扉枠施錠用係合部（係合部）、
下方に位置するＫ１；姿勢変更部材、
Ｋ２：受皿扉部材施錠用係合部、
Ｋ３：中枠施錠用係合部、
Ｌ１：ガラス扉枠用被係合部（被係合部）、
Ｌ２：受皿扉部材施錠用被係合部、
Ｌ３：中枠施錠用被係合部、
Ｊ１；第１の受圧部（受圧部）、
Ｊ２；第２の受圧部（被操作部）、
Ｊ３；第３の受圧部、
ｄ２；第２領域部（防護部）。
【図１】
2010214167.tif 000003
【図２】
2010214167.tif 000004
【図３】
2010214167.tif 000005
【図４】
2010214167.tif 000006
【図５】
2010214167.tif 000007
【図６】
2010214167.tif 000008
【図７】
2010214167.tif 000009
【図８】
2010214167.tif 000010
【図９】
2010214167.tif 000011
【図１０】
2010214167.tif 000012
【図１１】
2010214167.tif 000013
【図１２】
2010214167.tif 000014
【図１３】
2010214167.tif 000015
【図１４】
2010214167.tif 000016
【図１５】
2010214167.tif 000017
【図１６】
2010214167.tif 000018
【図１７】
2010214167.tif 000019
【図１８】
2010214167.tif 000020
【図１９】
2010214167.tif 000021
【図２０】
2010214167.tif 000022
【図２１】
2010214167.tif 000023
【図２２】
2010214167.tif 000024
【図２３】
2010214167.tif 000025
【図２４】
2010214167.tif 000026
【図２５】
2010214167.tif 000027
【図２６】
2010214167.tif 000028
【図２７】
2010214167.tif 000029
【図２８】
2010214167.tif 000030
【図２９】
2010214167.tif 000031
【図３０】
2010214167.tif 000032
【図３１】
2010214167.tif 000033
【図３２】
2010214167.tif 000034
【図３３】
2010214167.tif 000035
【図３４】
2010214167.tif 000036
【図３５】
2010214167.tif 000037
【図３６】
2010214167.tif 000038
【図３７】
2010214167.tif 000039
【図３８】
2010214167.tif 000040
【図３９】
2010214167.tif 000041
【図４０】
2010214167.tif 000042
【図４１】
2010214167.tif 000043
【図４２】
2010214167.tif 000044
【図４３】
2010214167.tif 000045
【図４４】
2010214167.tif 000046